(57)【特許請求の範囲】
【請求項１】
生物学的試料におけるT細胞、B細胞、もしくは骨髄細胞系の白血病を同定するための検定装置であって、
固体支持体；および
固体支持体上の不連続な領域に固定化された免疫グロブリン分子もしくはその抗原結合断片のアレイであって、該免疫グロブリン分子もしくはその抗原結合断片が、白血球上の少なくともCD3、CD4、CD8、CD14、CD19、およびCD56を含む単一の別個の細胞表面マーカー抗原に対して特異的であり、各単一の別個の白血球細胞表面マーカーはアレイに一度だけ呈示され、免疫グロブリン分子もしくは抗原結合断片の、その各々の別個の白血球細胞表面マーカー抗原に対する特異的な結合が、アレイ上に白血球細胞結合のパターンを提供し、白血球結合のパターンの相対スケールが生物学的試料におけるT細胞、B細胞、もしくは骨髄細胞系の白血病を識別する、アレイ；
を含む検定装置。
【請求項２】
前記固体支持体が、CD2、CD5、CD7、CD9、CD10、CD11b、CD11c、CD13、CD15、CD16、CD20、CD21、CD22、CD23、CD24、CD25、CD33、CD34、CD36、CD37、CD38、CD41、CD42、CD45、CD57、CD95、およびCD122から選択される単一の別個の白血球細胞表面マーカー抗原に対して特異的な免疫グロブリン分子もしくはその抗原結合断片をさらに含む、請求項1記載の検定装置。
【請求項３】
前記固体支持体が、CD2、CD5、CD7、CD9、CD10、CD11b、CD11c、CD13、CD15、CD16、CD20、CD21、CD22、CD23、CD24、CD25、CD33、CD34、CD36、CD37、CD38、CD41、CD42a、CD45、CD45RA、CD45RO、CD52、CD57、CD60、CD61、CD71、CD79a、CD95、CD103、CD117、CD122、およびCD154から選択される単一の白血球細胞表面マーカー抗原に対して特異的な免疫グロブリン分子もしくはその抗原結合断片をさらに含む、請求項1記載の検定装置。
【請求項４】
前記固体支持体が、CD2、CD5、CD7、CD9、CD10、CD11b、CD11c、CD13、CD15、CD16、CD20、CD21、CD22、CD23、CD24、CD25、CD33、CD34、CD36、CD37、CD38、CD41、CD42a、CD45、CD45RA、CD45RO、CD52、CD57、CD60、CD61、CD71、CD79a、CD95、CD103、CD117、CD122、CD154、GPA、HLA-DR、KOR、FMC7、mIgG1、および抗Igから選択される単一の別個の白血球細胞表面マーカー抗原に対して特異的な免疫グロブリン分子もしくはその抗原結合断片をさらに含む、請求項1記載の検定装置。
【請求項５】
前記固体支持体が、CD2、CD5、CD7、CD9、CD10、CD11b、CD11c、CD13、CD15、CD16、CD20、CD21、CD22、CD23、CD24、CD25、CD33、CD34、CD36、CD37、CD38、CD41、CD42a、CD44、CD44v3-10、CD44v6、CD45、CD45RA、CD45RO、CD52、CD57、CD60、CD61、CD71、CD79a、CD79b、CD80、CD95、CD103、CD117、CD122、CD134、CD138、CD154、GPA、HLA-DR、KOR、FMC7、mIgG1、および抗Igから選択される単一の細胞表面マーカー抗原に対して特異的な免疫グロブリン分子もしくは抗原結合断片をさらに含む、請求項1記載の検定装置。
【請求項６】
前記固体支持体が、CD2、CD5、CD7、CD9、CD10、CD11b、CD11c、CD13、CD15、CD16、CD20、CD21、CD22、CD23、CD24、CD25、CD33、CD34、CD36、CD37、CD38、CD41、CD42a、CD44、CD44v3-10、CD44v6、CD45、CD45RA、CD45RO、CD52、CD57、CD60、CD61、CD71、CD79a、CD79b、CD80、CD95、CD103、CD117、CD122、CD134、CD138、CD154、カッパ、ラムダ、GPA、HLA-DR、KOR、FMC7、mIgG1、IgG2a、および抗Igから選択される単一の別個の白血球細胞表面マーカー抗原に対して特異的な免疫グロブリン分子もしくはその抗原結合断片をさらに含む、請求項1記載の検定装置。
【請求項７】
アレイ上における白血球細胞結合のパターンが、顕微鏡的、生化学、組織化学的もしくは免疫学的に検出される、請求項1〜6のいずれか一項記載の検定装置。
【請求項８】
白血球細胞結合のパターンが顕微鏡的に検出される、請求項7記載の検定装置。
【請求項９】
免疫グロブリン分子がモノクローナル抗体である、請求項1〜8のいずれか一項記載の検定装置。
【請求項１０】
免疫グロブリン分子がポリクローナル抗体である、請求項1〜8のいずれか一項記載の検定装置。
【請求項１１】
生物学的試料におけるT細胞、B細胞もしくは骨髄細胞系の白血病を同定するための方法であって、生物学的試料を請求項1〜10のいずれか一項記載の検定装置と接触させる段階；生物学的試料中の白血球を白血球上の細胞表面マーカー抗原を介して固体支持体上の免疫グロブリン分子もしくはその抗原結合断片に結合させて、アレイ上に結合のパターンを形成させる段階；および、アレイ上の白血球結合のパターンの相対スケールを決定して、生物学的試料中のT細胞、B細胞、もしくは骨髄細胞系の白血病を識別する段階、を含む方法。
【発明の詳細な説明】
【０００１】
発明の分野
本発明は一般的に結合相手を検出するための検定法に関する。結合相手の存在又は不存在は、正常な状態、又は病気の状態若しくは障害、又は病気の状態若しくは障害が発症する性質を示すため、又は動物、鳥類若しくは植物における特定の細胞型若しくは微生物、ウイルス、寄生生物若しくは他の病原体の存在を示すため、又は化学ライブラリー、生物試料若しくは環境試料若しくはファージディスプレーライブラリー等の試料中における特定の化学的実体の存在を示すために使用できる。一つの実施態様において、本発明は動物、鳥類若しくは植物から得られる生物試料又はそれらに由来する生物試料の中に結合相手を持つ分子のアレイであって、該アレイ上の各分子に対する結合相手の結合のパターンが、結合の不存在又は相手との相互作用の密度を含め、正常な状態、又は病気の状態、又は障害、又は病気の状態若しくは障害が発症する性質のしるし、又は特定の細胞型若しくは微生物、ウイルス、寄生生物若しくは他の病原体の存在のしるしを提供するものである分子のアレイを提供する。別の一実施態様において、該結合相手は化学ライブラリー試料、環境ライブラリー試料若しくはファージディスプレーライブラリー試料中にあり、そして結合の不存在又は相手との相互作用の密度を含めその結合パターンが、特定の結合相手若しくは結合相手ファミリーの存在、型及び／又は濃度を示す。本発明の検定法は、とりわけ、ヒトを含む動物並びに鳥類及び植物における癌や腫瘍形成及び非腫瘍性疾患の検出に有用である。本検定法は化学試料、環境試料及びファージディスプレー試料中の細胞型、微生物、ウイルス、寄生生物若しくは他の病原体及び化学的実体の検出にも有用である。好ましい実施態様において、該アレイの分子は特定の可溶性抗原、細胞に結合した抗原又は合成された抗原と相互作用できる免疫グロブリンを含む。それぞれの抗原に対する結合の存在、不存在又はその量を含む該アレイ中の結合パターンは、細胞上の又は細胞による抗原の発現のしるしを提供し、その結果、動物、鳥類又は植物における正常な状態又は病気の状態又は癌などの障害のしるしを提供する。該結合のパターンは化学ライブラリー、環境試料又はファージディスプレーライブラリーの中の抗原の存在及び／又は濃度のしるしをも提供する。別の一実施態様において、該アレイ上の分子は遺伝分子であり特定の細胞において対応する遺伝物質を同定するために使用される。
【０００２】
発明の背景
本明細書において本発明者らが言及する刊行物の書誌的詳細は本明細書の最後にまとめられる。
【０００３】
免疫学的技術の精巧さが増すにつれ、医学、獣医学、園芸学及び環境学の分野における研究や開発が強く促進されつつある。根本的に重要なのは抗体−抗原相互作用の特異性である。この相互作用を介して、特定の抗原をコードする遺伝子の発現が測定できる。
【０００４】
鳥類、植物及び特にヒト等の動物における多数の病態は、遺伝的根拠を有し、種々の遺伝子の発現パターン及び／又は発現レベルの変化により特徴づけられる。例えば、癌の中には癌遺伝子及び腫瘍抑制遺伝子の発現の変化に関連するものもある。さらに、細胞の周期及び発生における変化に関連する病気の状態又は障害は、特定遺伝子の転写調節での変化に起因し得る。
【０００５】
突然変異を評価するために利用できる幾つかの遺伝子検定があるが、ある遺伝的変化の同定が病気の状態又は障害を常に直接示すものとは限らない。
【０００６】
一部の遺伝的変化は細胞表面抗原の変化として現れる。しかし、再び、一つの抗原の同定に基づいた癌などの複雑な病気の状態又は障害についての診断的検定法を開発しようとしたこれまでの試みは例外なくうまくいかなかった。
【０００７】
白血病及びリンパ腫はヒトに重大な死亡率及び罹患率を惹起する。このような癌は、癌化さえしなければ特殊化された細胞型への正常な分化の種々の段階で遮断されたであろう細胞の絶え間ない増殖から生ずる。白血病は、種々の分化系統における任意の前駆体の突然変異により骨髄中の血液形成細胞から生じる（図１参照）。リンパ腫はリンパ組織中のリンパ球又はマクロファージから発生する。
【０００８】
末梢血のリンパ球は、多数の異なる抗原を外側の細胞膜上に発現する。それらの多くは、増殖因子、細胞−細胞相互作用及び免疫グロブリンに対する受容体、細胞接着又は補体刺激に関する分子、酵素並びにイオンチャンネルである。分化のクラスター（ＣＤ）抗原（キシモトら、１９９７）として知られるヒトの白血球の細胞表面抗原に対するモノクローナル抗体を分類するために画一的な系統的命名法が開発された。ＣＤ抗原についての詳細な情報はハイパーリンク http://www.ncbi.nlm.nih.gov/prow/cd/index-molecules.htmで確認できる。これらの細胞表面抗原の発現により末梢循環中で見出される成熟血球の異なる型を識別できる。
【０００９】
末梢血中の細胞は、表面抗原ＣＤ３４を発現する骨髄系幹細胞又はリンパ系幹細胞の前駆体から下流の特定の系統への増殖及び分化により骨髄で生産される（図２参照）。
【００１０】
現在では、白血病は形態学、特異的なＣＤ抗原、リンパ（ＬＹ）抗原及び骨髄（ＭＹ）抗原の発現、酵素活性、及び染色体転座等の細胞遺伝上の異常に基づいて診断される。例えば、急性骨髄白血病（ＡＭＬ）の診断はこれらの四つの基準を用いてなされる。現在、白血病細胞上の三種までのＣＤ抗原の発現は、フローサイトメトリーによる分析と特定のＣＤ抗原に対する蛍光標識抗体を用いて測定される。従って、この労働集約的な技法を用いて、１６６種のＣＤ抗原の発現について患者から得られる白血病細胞をスクリーニングすることは実践的でない。最近、デ・マトスとヴァーレ（１９９６）は、主要な型のヒトのリンパ球及びそれらの部分集団の一回の測定における同時定量についてのフローサイトメトリー法を開発した。この手法においては、ヒトのリンパ球の混合集団を、三つの異なる蛍光色素と結合させたＣＤ３、ＣＤ４、ＣＤ８、ＣＤ１９及びＣＤ５６に対するモノクローナル抗体とインキュベートした。フローサイトメトリーによるこれら三つの異なる蛍光放射の測定により、主要な型のヒトのリンパ球、Ｔリンパ球及びＢリンパ球並びにナチュラルキラー（ＮＫ）細胞を定量できる。大部分のフローサイトメーターは細胞分析用に三つの異なるレーザーを同時に使用しうるのみであるため、この手法は該技術の最新の使用法に相当する。
【００１１】
チャング（１９８３）は、対応する抗原をその表面上に発現する細胞のための微小な特異的免疫吸着剤として作用する細長いガラスカバー片上に、異なる特異性をもつ抗体の行列状のアレイを調製した。この手法は、細胞が、細胞表面上の抗原に特異的な抗体で被覆された表面に結合できるという先の観察に基づくものであった（マゲら，１９７７、ウィソッキとサトウ，１９７８）。チャング（１９８３）は、細長いガラスカバー片に吸着されたマウス抗ヒトＨＬＡ−Ａ２抗体への末梢血単核細胞の特異的な結合並びに固定化された抗Ｌｙｔ２．１抗体及び抗Ｌｙｔ２．２抗体へのマウス胸腺細胞の特異的な結合を証明した。
【００１２】
本発明に至る研究において、本発明者らは、ある結合相手の検出が、癌及び非腫瘍性障害などの病気の状態及び障害並びに正常な状態の存在を診断するために使用できることを明らかにした。本検出システムは、ある範囲の抗原の存在又は不存在を測定するためにも使用でき、並びにそれらの相対量を定量するためにも使用できる。これは化学ライブラリー、環境試料及びファージディスプレーライブラリーにおいて特に重要である。
【００１３】
発明の概要
本発明の一つの側面は、分子のアレイを含んで成る検定用装置であって、アレイ中の各分子が、負の対照を除き、動物、鳥類若しくは植物由来の生物試料に存在すると思われるそのそれぞれの結合相手と相互作用でき、該分子と該結合相手との間の相互作用のパターンが正常な状態若しくは病気の状態若しくは障害又は病気の状態若しくは障害が発症する性質を示すものである検定用装置を提供する。
【００１４】
関連する実施態様において、本発明は、該アレイ中の各分子が、負の対照を除き、化学ライブラリー、ファージディスプレーライブラリー又は環境試料中に存在すると思われるその各結合相手と相互作用でき、該分子と該結合相手の間の相互作用のパターンが該試料中の特定の結合相手の存在、型及び／又は量を示すものである、分子のアレイを含んで成る検定用装置に関する。
【００１５】
本発明の他の側面は、ヒトなどの動物における正常な状態若しくは癌若しくは癌が発症する性質を診断するための検定用装置であって、該アレイの各分子が、負の対照を除き、各結合相手と、それが該動物由来の生物試料中に存在する場合、相互作用でき且つ固定された該分子とそれらの各結合相手の間の相互作用のパターンが癌又は癌が発症する性質の存在を示すものである、固体支持体上に固定された分子のアレイを含んで成る検定用装置を意図する。
【００１６】
本発明の関連する側面は、ヒトなどの動物における非腫瘍性障害又は非腫瘍性障害が発症する性質を診断するための検定用装置であって、該アレイの各分子が、負の対照を除き、各結合相手と、それが該動物由来の生物試料中に存在する場合、相互作用でき且つ固定された該分子とそれらの各結合相手の間の相互作用のパターンが非腫瘍性障害又は非腫瘍性障害が発症する性質の存在を示すものである、固体支持体上に固定された分子のアレイを含んで成る検定用装置を提供する。
【００１７】
関連する実施態様において、細胞型、微生物、ウイルス、若しくは寄生生物若しくは病原体を検出するための検定用装置であって、該アレイの各分子が、負の対照を除き、各結合相手と、それが上記の細胞型、微生物、ウイルス、若しくは寄生生物若しくは病原体上に存在する場合、相互作用でき且つ固定された該分子とそれらの各結合相手の間の相互作用のパターンが上記の細胞型、微生物、ウイルス、若しくは寄生生物若しくは病原体の存在を示すものである、固体支持体上に固定された分子のアレイを含んで成る検定用装置が提供される。
【００１８】
本発明のさらなる側面は、固体支持体上に固定された分子のアレイであって、下記の式
【００１９】
【数５】
0004763135.tif 000002
【００２０】
上式中、
Ｐは結合相手と相互作用できる結合グループの構成員であり、
ｎ１，ｎ２，・・・・ｎｉは結合グループの異なる構成員を表し、
ｘ１，ｘ２，・・・・ｘｊは異なる結合グループを表し、
ｂ、ｃ及びｄはそれぞれ結合グループｘ１，ｘ２，・・・・ｘｊの異なる構成員の数を表し、ｂ、ｃ及びｄは同一でも異なっていてもよく、ｂ、ｃ又はｄの少なくとも一つは０でないことを条件として、そのそれぞれは約０から約１００までであり、ｚは該アレイ上の分子の群の数であって、約１から約２０００までである、
により定義され、
固定された該分子とそれらの各結合相手の間の相互作用のパターンが、正常な状態若しくは病気の状態若しくは障害又は病気の状態若しくは障害が発症する性質又は結合相手の存在、型及び／又は量を示すものである、アレイに関する。
【００２１】
本発明のさらなる側面は、癌についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該抗原が正常細胞若しくは癌細胞の表面上に発現する又は正常細胞若しくは癌細胞により放出されるものであり、固定された免疫グロブリンとそれらの抗原の結合パターンが癌若しくは癌が発症する性質の存在又は正常な状態の存在を示すものである装置を意図する。
【００２２】
本発明の関連する側面は、非腫瘍性障害についての検定用装置であって、該装置が、異なる不連続領域が異なる抗原に対して特異性を有するように該固体支持体の不連続領域に固定された免疫グロブリン分子又はそれらの機能的誘導体若しくは等価物のアレイを含み、該抗原が非腫瘍性細胞の表面上に発現され又は非腫瘍性細胞により放出されるものであり、該固定された免疫グロブリンとそれらの個々の抗原の結合パターンが非腫瘍性障害又は非腫瘍性障害が発する性質の存在を示すものである装置を提供する。
【００２３】
さらに関連する実施態様においては、微生物、ウイルス、寄生生物又は他の病原体についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該抗原が該微生物、ウイルス、寄生生物若しくは病原体の表面上に発現され又はそれらにより放出されるものであり、該抗原と該固定された免疫グロブリンとの結合のパターンが上記の微生物、ウイルス、寄生生物又は病原体の存在又は不在を示すものである装置が提供される。
【００２４】
その上、本発明の更なる実施態様では、化学ライブラリー、環境試料又はファージディスプレーライブラリーの中の結合相手についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該固定された免疫グロブリンと該抗原との結合パターンが該抗原の存在、型及び／又は量を示すものである装置に関する。
【００２５】
本発明の別の側面は、正常細胞若しくは癌細胞上に発現した抗原又は正常細胞若しくは癌細胞により放出された抗原又は微生物、ウイルス、寄生虫、病原体上に発現する抗原又は化学ライブラリー若しくは環境試料中に存在すると思われる抗原に特異的な免疫グロブリン又はそれらの誘導体若しくは化学等価物のアレイであって、各抗原又はその一部に特異的な免疫グロブリンの各グループが固体支持体の不連続領域を占有しており、該アレイが下記の式
【００２６】
【数６】
0004763135.tif 000003
【００２７】
上式中、
ｑは正常細胞若しくは癌細胞上に発現した抗原又は正常細胞若しくは癌細胞により放出された抗原又は微生物、ウイルス、寄生虫、病原体上に発現する抗原又は化学ライブラリー、環境試料、若しくはファージディスプレーライブラリーの中に存在すると思われる抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの数であって、約１から約２０００までである、
により定義されるものであり、
該固定された分子とそれらの各結合相手の間の相互作用のパターンが、正常な状態又は癌の発症又は癌が発症する性質又は微生物、ウイルス、寄生生物若しくは病原体の存在又は化学試料若しくは環境試料若しくはファージディスプレーライブラリーの中における結合相手の存在、型及び／又は量を示すものである、アレイに関する。
【００２８】
本発明の関連する側面は、非腫瘍性細胞上に発現した抗原又は非腫瘍性細胞により放出された抗原に特異的な免疫グロブリン又はそれらの誘導体若しくは化学等価物のアレイであって、各抗原又はその一部に特異的な免疫グロブリンの各グループが固体支持体の不連続領域を占有し、該アレイが下記の式、
【００２９】
【数７】
0004763135.tif 000004
【００３０】
上式中、
ｑは該抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの数であって、約１から約２０００までである、
により定義され、
固定された免疫グロブリンとそれらの各抗原の間の相互作用のパターンが、非腫瘍性障害の発症又は非腫瘍性障害が発症する性質を示し又は微生物、ウイルス、寄生生物若しくは病原体の存在を示すものであるアレイを提供する。
【００３１】
なお、本発明の更なる側面は、癌についての検定用装置であって、該装置が、異なる不連続領域が白血病細胞上に発現する異なる、分化のクラスター抗原及び／又は骨髄抗原及び／又はリンパ抗原に対して特異性を有するように該固体支持体の異なる領域に固定された免疫グロブリン分子又はそれらの機能的誘導体若しくは等価物のアレイを含み、固定された該免疫グロブリンのそれらの各抗原への結合パターンが癌又は癌を発症する性質の存在を示すものである検定用装置を意図する。
【００３２】
本発明の別の一側面は、分子のアレイを含む診断用検定装置であって、アレイ中の各分子が、負の対照を除き、動物、鳥類若しくは植物由来の生物試料に存在すると思われるそのそれぞれの結合相手と相互作用することができ、該分子が該アレイ中で、該分子と該結合相手の間の相互作用の際における密度の異なるパターンが病気の状態若しくは障害又は病気の状態若しくは障害が発症する性質を示す同定可能なシグナルを提供するように、整列しているものである診断用検定装置を提供する。
【００３３】
本発明の更なる側面は、ヒトなどの動物における癌又は癌が発症する性質の診断のための検定用装置であって、該検定用装置が固体支持体に固定された分子のアレイを含み、アレイ中の各分子が、負の対照を除き、それぞれの結合相手と、それが該動物由来の生物試料に存在する場合、相互作用でき、そして該固定された分子とそれらのそれぞれの結合相手の間の相互作用の際の密度の異なるパターンが癌又は癌が発症する性質の存在を示す同定可能なシグナルを提供するように該分子が該アレイ中で整列しているものである、検定用装置を意図する。
【００３４】
本発明のさらなる別の一側面は、固体支持体上に固定された分子のアレイであって、該アレイが下記の式
【００３５】
【数８】
0004763135.tif 000005
【００３６】
式中、
Ｐは結合相手と相互作用できる結合グループの構成員であり、
ｎ１，ｎ２，・・・・ｎｉは結合グループの異なる構成員を表し、
ｘ１，ｘ２，・・・・ｘｊは異なる結合グループを表し、
ｂ、ｃ及びｄはそれぞれ結合グループｘ１，ｘ２，・・・・ｘｊの異なる構成員の数を表し、ｂ、ｃ及びｄは同一でも異なっていてもよく、ｂ、ｃ又はｄの少なくとも一つは０でないことを条件として、そのそれぞれは約０から約１００までであり、ｚは該アレイ上の分子の群の総数であって、約１から約２０００までである、
によって定義され、
該分子が、固定された該分子とそれらのそれぞれの結合相手の間の相互作用の際の結合グループ内の他と異なる密度のパターンが病気の状態又は障害又は病気の状態若しくは障害が発症する性質を示す同定可能なシグナルを提供するように、該アレイ中で整列しているものである分子のアレイに関する。
【００３７】
本発明の更なる側面は、癌についての検定用装置であって、異なる不連続領域が異なる抗原に対して特異性を有するように該固体支持体の不連続領域に固定された免疫グロブリン分子又はそれらの機能的誘導体若しくは等価物のアレイを含み、該抗原が正常細胞若しくは癌細胞の表面上に発現され又は正常細胞若しくは癌細胞により放出されるものであり、該結合免疫グロブリンが、固定された免疫グロブリンのそれらの各抗原に対するパターンが同定可能なシグナルの形であり且つ癌若しくは癌が発症する性質の存在を示す他と異なる密度のパターンを提供するように、該アレイ中で整列しているものである装置を意図する。
【００３８】
本発明の別のさらなる一側面は、正常細胞上若しくは癌細胞上に発現される抗原又は正常細胞若しくは癌細胞により放出される抗原に特異的な免疫グロブリン又はそれらの誘導体若しくは化学等価物のアレイであって、各抗原又はその部分に特異的な免疫グロブリンの各グループが固体支持体の不連続領域を占有し、該アレイが下記の式、
【００３９】
【数９】
0004763135.tif 000006
【００４０】
上式中、
ｑは正常細胞上若しくは癌細胞上に発現する抗原又は正常細胞若しくは癌細胞により放出される抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの総数であって、約１から約２０００までである、
により定義され、
該分子が、固定された免疫グロブリンとそれらの各抗原の間の相互作用の際における他と異なる密度のパターンが癌の発症若しくは癌が発症する性質を示す同定可能なシグナルを提供するように、該アレイ中で整列しているものであるアレイに関する。
【００４１】
その上、本発明のさらなる側面は、癌についての検定用装置であって、異なる不連続領域が白血病細胞上に発現する異なる分化クラスター抗原（ＣＤ抗原）及び／又は骨髄（ＭＹ）抗原及び／又はリンパ（ＬＹ）抗原に対して特異性を有するように該固体支持体の不連続領域に固定された免疫グロブリン分子又はそれらの機能的誘導体若しくは等価物のアレイを含み、該分子が該アレイ中で、固定された免疫グロブリンがそれらの各抗原に結合する際における他と異なる密度のパターンが癌若しくは癌が発症する性質の存在を示す同定可能なシグナルを提供するように、整列しているものである装置を意図する。
【００４２】
別の一側面は、動物、鳥類若しくは植物における癌、これらに限定されないが、などの病気の状態若しくは障害又は病気の状態若しくは障害を発症する性質の存在を決定する方法であって、該動物、鳥類若しくは植物から、該病気の状態若しくは障害と直接的若しくは間接的に関連する遊離の結合相手若しくは細胞表面に結合した結合相手を含む生物試料を取得する工程、及び該生物試料を該結合相手に結合できる分子のアレイを含む固体支持体と接触させる工程であって、該分子が該アレイ中で、該結合相手と相互作用する際における他と異なる密度のパターンが病気の状態若しくは障害又は病気の状態若しくは障害を発症する性質を示す同定可能なシグナルを提供するように、整列しているものである工程、を含む方法を意図する。
【００４３】
本発明のさらなる側面は、ヒト若しくは非ヒト動物における癌又は癌を発症する性質を検出する方法であって、該ヒト又は非ヒト動物から生物試料を取得する工程、及び正常細胞上若しくは癌細胞上で発現する又は正常細胞若しくは癌細胞により放出される抗原に対して特異性を有する免疫グロブリン又はその誘導体若しくは化学等価物のアレイと該生物試料とを接触させる工程であって、各抗原又はその一部に特異的な免疫グロブリンの各グループが固体支持体の異なる領域を占有し、該アレイが下記の式、
【００４４】
【数１０】
0004763135.tif 000007
【００４５】
上式中、
ｑは正常細胞上若しくは癌細胞上に発現する抗原又は正常細胞若しくは癌細胞により放出される抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの総数であって、約２から約２０００までである、
により定義され、
該分子が該アレイ中で、固定された免疫グロブリンとそれらの各抗原の間の相互作用の際における他と異なる密度のパターンが癌の発症若しくは癌が発症する性質を示す同定可能なシグナルを提供するように、整列しているものである工程、を含む方法を意図する。
【００４６】
別の一側面は、動物、鳥類若しくは植物における癌、これらに限定されないが、などの病気の状態若しくは障害又は病気の状態若しくは障害を発症する性質の存在を決定する方法であって、該動物、鳥類若しくは植物から、該病気の状態若しくは障害と直接的若しくは間接的に関連する遊離の結合相手若しくは細胞表面に結合した結合相手を含む生物試料を取得する工程、及び該生物試料を該結合相手に結合できる分子のアレイを含む固体支持体と接触させる工程であって、該結合相手との相互作用のパターンが病気の状態若しくは障害又は病気の状態若しくは障害を発症する性質を示すものである工程、を含む方法を意図する。
【００４７】
本発明のさらなる側面は、ヒト若しくは非ヒト動物における癌又は癌を発症する性質を検出する方法であって、該ヒト又は非ヒト動物から生物試料を取得する工程、及び該生物試料を、正常細胞上若しくは癌細胞上で発現する又は正常細胞若しくは癌細胞により放出される抗原に対して特異的な免疫グロブリン又はその誘導体若しくは化学等価物のアレイと接触させる工程であって、各抗原又はその部分に特異的な免疫グロブリンの各グループが固体支持体の不連続領域を占有し、該アレイが下記の式、
【００４８】
【数１１】
0004763135.tif 000008
【００４９】
上式中、
ｑは正常細胞上若しくは癌細胞上に発現する抗原又は正常細胞若しくは癌細胞により放出される抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの総数であって、約２から約２０００までである、
により定義され、
固定された免疫グロブリンとそれらの各抗原の間の相互作用のパターンが、癌の発症若しくは癌が発症する性質を示すものである工程、を含む方法を意図する。
【００５０】
その上、本発明のさらなる別の一側面は、病気の状態若しくは障害又は病気の状態若しくは障害を発症する性質の存在を決定するための、生物試料中に存在すると思われるそれぞれの結合相手と相互作用できる分子のアレイの使用に関する。
【００５１】
本発明の別の一側面は、ヒト若しくは非ヒト動物における癌を治療する方法であって、該ヒト又は非ヒト動物から生物試料を取得する工程、該試料と、異なる不連続領域が異なる抗原に対し特異性を有するように該固体支持体の不連続領域に固定化された免疫グロブリン分子若しくはその機能的誘導体若しくはその等価物のアレイとを接触させる工程であって、該抗原が正常細胞若しくは癌細胞の表面で発現し又は正常細胞若しくは癌細胞により放出されたものである工程、及びそのそれぞれの抗原への固定化免疫グロブリンの結合パターンを決定する工程、次いで実質的に癌細胞上に発現する抗原に対応するヒト化モノクローナル抗体、これに限定されないが、などを用いて免疫治療を行う工程を含む方法を意図する。
【００５２】
好ましい実施態様の詳細な説明
本発明は、試験試料中に潜在的に存在する結合相手と相互作用できる分子のアレイを含む検定用装置を提供する。一つの実施態様において、該検定用分子と結合相手との相互作用又は検定用分子と結合相手との間の相対的な相互作用の存在又は不存在は、試料の供給源である動物、鳥類又は植物における正常な状態又は病気の状態又は障害のしるしを与える。本発明の検定用装置は、例えば免疫系の非腫瘍性障害を示すリンパ球集団における変化などの非腫瘍性細胞集団における変化を検出するためにも有用である。従って、この後者の側面は、細胞型及び寄生生物、ウイルス及び微生物を含む病原体を直接的又は間接的に検出するための検定用装置の使用を包含する。さらなる実施態様において、該試料は化学ライブラリー、環境試料又はファージディスプレーライブラリーである。次に、該結合パターンは特定の結合相手の存在、型及び／又は量の指標を与える。これは、環境汚染物質についてのスクリーニング又は特異的親和性を有する薬剤についての天然産物若しくは化学ライブラリーのスクリーニングにとりわけ有用である。特異的な親和性又は結合像を有するペプチドについてのファージディスプレーライブラリーのスクリーニングも重要である。このような分子の同定はペプチド疑似体の開発に有用である。
【００５３】
従って、本発明の一側面は、分子のアレイを含む検定用装置であって、該アレイ中の各分子が、負の対照を除き、動物、鳥類若しくは植物由来の生物試料中に存在すると思われるそのそれぞれの結合相手と相互作用できるものであり、該分子と該結合相手の間の相互作用のパターンが正常な状態若しくは病気の状態若しくは障害又は病気の状態若しくは障害が発症する性質を示すものである検定用装置を提供する。
【００５４】
この病気の状態又は障害は、ヒト、霊長類、実験用試験動物（例えば、マウス、ウサギ、モルモット、ハムスター）、愛玩動物（例えば、イヌ、ネコ）又は捕獲された野生動物などの動物に存在するのが好ましい。
【００５５】
好ましい動物はヒトである。
【００５６】
しかし、本発明は鳥類及び植物における病気の状態又は障害の検出にも及ぶ。鳥類の例には、家禽鳥（例えば、鶏、アヒル、七面鳥、ガチョウ）、猟鳥（例えば、キジ、野ガモ、クジャク）、及び飛べない鳥（例えば、エミュー、ダチョウ）が含まれる。植物の例には、穀物植物、果樹、観賞用植物及びプランテーション樹木を含む単子葉類植物及び双子葉類植物が含まれる。本明細書における「植物」という言及は、葉、花、幹及び根などの植物体の一部についての言及も含む。
【００５７】
本発明による検出に適用できる病気又は障害の一つの型は、ヒト等の動物に存在する癌である。「癌」という用語は、最も広範な意味で用いられ、良性及び悪性の白血病、肉腫及びがん腫、並びに他の新形成を含む。新形成は悪性でも良性でもよい。本発明により意図される癌及び新形成は、単一（モノクローナル、即ち単一の新形成細胞型から構成される）、混合（ポリクローナル、即ち二つ以上の新形成細胞型から構成される）又は複合（即ち、二つ以上の新形成細胞型から構成され且つ二つ以上の胚葉に由来する）でありうる。本発明により包含される単一の癌の例には、間葉起源の腫瘍（例えば、結合組織、内皮組織、血液細胞、筋細胞の腫瘍）及び上皮起源の腫瘍が含まれる。本発明により意図される具体的な癌には、線維肉腫、粘液肉腫、ユーイング肉腫、顆粒球性白血病、基底細胞癌、結腸癌、胃癌及び種々の皮膚癌が含まれるが、これらに限定されない。より具体的には、本発明により意図される癌には、ＣＭＬ，慢性骨髄性白血病、ＡＭＭＬ，急性骨髄単球性白血病、ＡＬＬ，急性リンパ性白血病、ＡＥＬ，急性赤血球白血病、ＡｍｅｇＬ，急性巨核球性白血病、ＡＭｏＬ，急性単球性白血病、ＡＭＬ，急性骨髄性白血病、ＣＬＬ，慢性リンパ性白血病、ＮＨＬ，非ホジキンリンパ腫、ＡＰＬ，急性前骨髄球性白血病、及びＨＣＬ，毛様細胞性白血病が含まれるが、これらに限定されない。
【００５８】
「正常な」状態についての言及には、統計分析に基づいて実質的に健常な被験体の集団で最も高い蓋然性で予測されうる特定の細胞型、又は、例えば受容体、イオンチャンネル、細胞−細胞相互作用分子、シグナル形成分子を含む抗原の存在及び／又は量を含む。本発明のこの側面は、例えば化学治療若しくは免疫治療の後の患者の監視又は危険な状態の個体又は個体群若しくは個体集団における健康状態についてのスクリーニングに有用である。従って、「正常な」状態を決定する工程についての言及には「異常な」状態を検出する工程が含まれる。
【００５９】
関連する実施態様において、本発明は分子のアレイを含む検定用装置であって、アレイ中の各分子が、負の対照を除き、化学ライブラリー又はファージディスプレーライブラリー又は環境試料に存在すると思われるそのそれぞれの結合相手と相互作用でき、該分子と該結合相手の間の相互作用のパターンが該試料中の特定の結合相手の存在、型及び／又は量を示すものである装置に関する。
【００６０】
「化学試料」は、合成分子、生物分子又はコンビナトリアル手法を用いて生産された分子のライブラリーなどの化学ライブラリーを含む。該化学ライブラリーはピン技術（例えばキロン）を用いても合成されうる。化学ライブラリーについての言及には、天然産物のスクリーニングのための天然に生じる分子のライブラリーが含まれる。
【００６１】
「環境試料」には、水中、空中又は陸上の環境から得られる試料並びに植物、微生物及び珊瑚から得られる試料が含まれる。従って、環境試料には、例えば医薬剤又は診断薬剤として使用するための天然産物スクリーニング用の試料が含まれる。これは、夾雑物を含みうる土、水及び空気などの試料も含む。
【００６２】
「ファージディスプレーライブラリー」は、その最も広い意味で用いられ、該ファージ外殻上に一つ以上の異型のペプチド、ポリペプチド又はタンパク質を有する二つ以上のファージ粒子を含む。しかし、一般的に、個々のファージは、外殻タンパク質又はその機能的部分に融合させた一つの特定のペプチド、ポリペプチド又はタンパク質を生産する。該ファージ粒子を該固定化された分子と接触させる。ファージ粒子が固定化された分子と結合できる外殻上のペプチド、ポリペプチド又はタンパク質を含む場合、該ファージは固定化されるようになる。次いで、固定化された該ファージを溶出し、該ペプチド、ポリペプチド又はタンパク質をコードする遺伝物質を単離し、クローニングする。これはペプチド、ポリペプチド又はタンパク質の疑似体を単離するためのとりわけ強力な方法である。例えば、疑似体は類似の結合特性に基づいて単離され得る。
【００６３】
具体的な一例において、固定された該分子がＣＤ４０リガンドに対する抗体である場合、ファージディスプレーライブラリー又は他のライブラリー上のペプチド、ポリペプチド又はタンパク質は、該抗体に結合し、次いで、このペプチド、ポリペプチド又はタンパク質はＢリンパ球の活性化因子として又はアンタゴニストとして作用する分子の候補となる。同様に、固定された該分子は、狼瘡を患う患者で高濃度のＣＤ１５４に対する抗体でありうる。ＣＤ１５４抗体又はＣＤ１５４リガンドに結合できる分子の同定手法は、狼瘡の治療に有用なＣＤ１５４のアンタゴニスト候補を与えるであろう。同様な論理的根拠は化学産物ライブラリー又は天然産物ライブラリーなどの他の全てのライブラリーにも当てはまる。
【００６４】
本発明の別の一側面は、ヒトなどの動物における正常な状態若しくは癌若しくは癌が発症する性質を診断するための検定用装置であって、固体支持体上に固定された分子のアレイを含み、該アレイの各分子が、負の対照を除き、各結合相手と、それが該動物由来の生物試料に存在する場合、相互作用でき、該固定された分子とそれらの各結合相手の間の相互作用のパターンが癌又は癌が発症する性質の存在を示すものである装置を意図する。
【００６５】
本発明による検出で意図される状態又は障害の他の型には、非腫瘍性障害が含まれる。本明細書において非腫瘍性障害は、無制御の細胞増殖により特徴付けられない任意の障害又は病気を含むと考えられ且つ免疫系の非腫瘍性障害を含む。このような障害には、１型糖尿病、多発性硬化症、乾癬、リュウマチ性関節炎、硬皮症、及び全身性紅斑性狼瘡を含む自己免疫疾患が含まれる。これらの障害は、ＣＤ４を発現しうるＴ細胞の部分集合により及び／又はＣＤ１９を発現しうるＢ細胞の部分集合による自己抗原に対する抗体の生産により惹起される。例えば、ＣＤ４＋Ｔリンパ球やＣＤ４５＋Ｔリンパ球の減少及びＣＤ８＋Ｔリンパ球やＣＤ５７＋Ｔリンパ球の増加などのリンパ球集団の異常は、全身性紅斑性狼瘡の患者に特徴的である。
【００６６】
他の非腫瘍性障害には、再発性感染に至る子供の先天性免疫不全が含まれる。フローサイトメトリーによる免疫表現型決定は、リンパ球の部分集合における欠損を検出するために使用される。重篤複合免疫不全症候群（ＳＣＩＤＳ）は、アデノシンデアミナーゼ酵素の欠損により惹起され、Ｔ細胞（ＣＤ３）及びＢ細胞（ＣＤ１９）及びナチュラルキラー細胞（ＣＤ１６）などの非常に低レベルの末梢血リンパ球を伴う。プリンヌクレオシドホスホリラーゼの欠損はＢ細胞の欠損を結果として生ずる。本発明の抗体アレイは、欠損しているリンパ球の部分集合についての確実な情報を提供する。これにより該状態の診断が容易になる。
【００６７】
本発明の抗体アレイはウイルス、細菌及びマラリア寄生生物を含む寄生生物などの病原体による感染のスクリーニングにも有用である。例えば、ヒト免疫不全ウイルス（ＨＩＶ）は、ＨＩＶのｇｐ１２０タンパク質がＣＤ４に結合するため、主にＣＤ４＋のリンパ球に感染する。ＡＩＤＳの発症過程でＣＤ４＋リンパ球の涸渇が起こる。しかしながら、マクロファージ、Ｂリンパ球及び小膠細胞を含む多くの他の細胞型はＨＩＶに感染する。現在、ＨＩＶ患者で、ＣＤ４リンパ球の集団がモニタリングされるが、免疫表現型決定は、疾患制御センター（ＣＤＣ、アトランタ、米国）により推奨されているように、より広めるべきである。現在、下記の二標識試験がフローサイトメトリーにより実施されている、すなわち、負の対照、ＣＤ４５／ＣＤ１４、ＣＤ３／ＣＤ４、ＣＤ３／ＣＤ８、ＣＤ３／ＣＤ１９、ＣＤ３／ＣＤ１６、ＣＤ３／ＣＤ５６及びＣＤ４／ＣＤ８。この労働集約的な手法は、本発明に従って、これらのＣＤ抗原、及び感染したリンパ球の部分集合をさらに規定する他の抗原に対する抗体を含むアレイを用いる一段階手法により置き換えることができる。患者がＨＩＶに感染すると、約６週間でＣＤ４＋リンパ球が最小値まで急速に減少し、１２週までにそのレベルが部分的に回復する。より長い期間においては、ＣＤ４＋リンパ球の漸進的減少があり、約１１年後に死に至る（シントン、１９９８）。ジドブジン（ＡＺＴ）による治療はＣＤ４＋リンパ球の一過性の増加を誘導する。そこで、ＨＩＶ患者の臨床的進行をモニターするために、種々のリンパ球の部分集合に及ぼす化学療法の効果を、本発明に従って、抗体アレイを用いて測定することを提唱する。
【００６８】
免疫表現型決定は、免疫抑制及び拒絶又は感染などの合併症の程度を決定するために骨髄移植及び臓器移植にも有用である。フローサイトメトリーは、ＨＬＡ抗原を検出するためのモノクローナル抗体を用いる組織適合試験用に又は交差試験用に移殖前に使用される。移植組織に対する寛容は患者にシクロスポリンを投与することにより誘導される。移殖時の治療により末梢血中のリンパ球のレベルをほとんど０にする。血液からＴ細胞が消失する様子は、ＣＤ３＋細胞についてのフローサイトメトリーにより監視する。移植後、ＣＤ８＋細胞の増加は拒絶の可能性のシグナルとなる。ＣＤ８＋及びＣＤ１６＋、ＣＤ５６＋及び／又はＣＤ５７＋の細胞の増加はウイルス感染を示唆する。本発明の抗体アレイを用いてより迅速に且つ広範に移殖患者の免疫状態の監査を実施することが提唱される。
【００６９】
癌患者の中には高用量化学療法を受けた後、消耗した免疫系を再生するために骨髄移植を必要とする者もいる。次いで、移殖された髄質は造血の再構築を誘導するが、ＣＤ５＋Ｔ細胞などのリンパ球の異常な部分集合が時折が現れる。このような患者には日和見感染や対宿主性移殖片病が起こりうるのであり、両症例共にＣＤ８＋細胞の増加及びナチュラルキラー細胞の増加を生じる。ＣＤ抗原についての抗体アレイがフローサイトメトリーに取って代わることにより、患者の監視が簡素化され、より詳しい情報が与えられる。
【００７０】
ＣＤ抗原についての抗体アレイは、例えば、昆虫又はクモの毒液に対する脱感作療法中のリンパ球部分集合の変化を監視するにも有用である。この場合、ＣＤ４＋ＣＤ４５ＲＡ＋リンパ球の数は増加し、ＣＤ４＋ＣＤ４５ＲＯ＋リンパ球は高レベルから減少する。
【００７１】
慢性疲労症候群の患者は、ＣＤ８＋リンパ球の活性化を伴うウイルス感染と一致した免疫異常を有しうる。リンパ球部分集合の詳細な分析により、広い診断基準が確立され、この障害についての詳細な情報が得られる。
【００７２】
従って、本発明の別の一面は、ヒトなどの動物における非腫瘍性障害又は非腫瘍性障害が発症する性質を診断するための検定用装置であって、該装置が固体支持体に固定された分子のアレイを含み、該アレイ中の各分子が、負の対照を除き、それぞれの結合相手と、それが動物由来の生物試料中に存在する場合、相互作用でき、該固定された該分子とそれぞれの結合相手の間の相互作用のパターンが非腫瘍性障害又は非腫瘍性障害が発症する性質の存在を示すものである検定用装置を提供する。
【００７３】
関連する実施態様において、細胞型又は微生物又はウイルス又は病原体を検出するための検定用装置であって、該装置が固体支持体に固定された分子のアレイを含んでおり、該アレイの各分子が、負の対照を除き、各結合相手と、それが上記の細胞型、微生物、ウイルス、又は寄生生物又は病原体上に存在する場合、相互作用でき、該固定された分子とそれらの各結合相手の間の相互作用のパターンが上記の細胞型、微生物、ウイルス、又は寄生生物又は病原体の存在を示すものである検定用装置が提供される。
【００７４】
さらなる実施態様において、スクリーニングされる試料は化学ライブラリー、ファージディスプレーライブラリー又は環境試料である。該相互作用のパターンは結合相手の存在、型及び／又は量を提供する。本発明のこの側面は、環境汚染物についてのスクリーニングにとりわけ有用であり又は特定の親和性、結合像、免疫像及び／又は濃度を持つ分子についての分子の化学ライブラリー若しくは生物ライブラリーのスクリーニングに特に有用である。化学ライブラリー又は生物ライブラリーはファージディスプレーライブラリー又は他の形態のライブラリーを含む。化学ライブラリーは合成であっても天然産であってもよい。
【００７５】
「相互作用のパターン」という表現は、その最も広い文脈で使用され、下記のものを含む。すなわち、バックグラウンド相互作用に関する相互作用の存在又は不存在、バックグラウンドと比較した場合のアレイ上の不連続スポットに結合した細胞の相対密度などの相互作用の相対密度、該アレイ上の不連続スポットに結合した細胞の形態のパターン、該アレイ上の不連続スポット上で溶解した細胞の内部分子の存在又は不存在、該アレイ上の細胞又は抗原の相対数、特定の抗原の他と異なる発現、及び一細胞当たりの抗原数である。固定された分子とその結合相手との間の相互作用を評価するために、上記基準のいずれか又は全てが使用されうる。この発現のパターンは定量にもかけうる。
【００７６】
該固体支持体は、一般的にガラス、又はセルロース、セラミック材料、ニトロセルロース、ポリアクリルアミド、ナイロン、ポリスチレン及びその誘導体、ポリビニリデンジフルオライド（ＰＶＤＦ）、メタクリレート及びその誘導体、ポリビニルクロライド若しくはポリプロピレンなどのポリマーであるが、これらに限定されない。本発明では、ニトロセルロースがとりわけ有用であり好ましい。固体支持体は、ガラス又はポリマーの基体上に支持されたニトロセルロースフィルムなどのハイブリッドであってもよい。「ハイブリッド」についての言及には、上に列挙した二つ以上のガラス表面又はポリマー表面の層状整列についての言及が含まれる。この固体支持体は、膜若しくはチューブ、ビーズ、円盤若しくはマイクロプレート、又は検定を実施するのに適した他の任意の表面の形状でありうる。該分子に固定するための結合工程は、当分野では周知であり、一般的に該固体基体に該分子を共有結合する工程（例えば架橋）又は物理的に吸着させる工程から成る。
【００７７】
本発明の固体支持体に固定された分子は本明細書中で「Ｐ」と呼ばれる。分子Ｐは一般的に「ｘ」と称される結合グループから選択される。Ｐ分子の数、ｎは、各結合グループから選択されうるし、又は一つのＰ分子は各結合グループから選択されうる。Ｐ分子は固体支持体上にスポット、ドット、又はスポット若しくはドットの群などの任意の幾何学的形態で又は展開された形式で又は層状の形式で整列しうる。一般的に、スポット又はドットの形式が好ましい。該結合グループは診断される正常な状態若しくは病気の状態若しくは障害、又は検出若しくは定量しようとするその結合相手に基づいて選択される。例えば、癌の場合、特定の癌又は癌の発症は、一般にある細胞表面リガンド（及びより具体的には抗原）の発現又は可溶性のリガンドの放出（例えば可溶性の抗原）に基づいて決定されうる。次いで、該Ｐ分子は細胞表面又は可溶性リガンドに対する結合相手として選択される。該Ｐ分子とそれらのそれぞれの結合相手との間の相互作用のパターンは、癌若しくは他の病気の状態若しくは障害の発症又は発症する性質を示すものである。微生物、ウイルス又は寄生生物又は病原体の場合、該Ｐ分子は一般的に糖、タンパク質、リポタンパク質、鞭毛、繊毛、受容体又は細胞壁の構成要素などの細胞表面分子に対する結合相手として選択される。化学ライブラリー、ファージディスプレーライブラリー又は環境試料の場合、該Ｐ分子は一般的に、常にそうであるわけではないが、試料の推定構造又は親和性に基づいて選択される。例えばファージディスプレーライブラリーの場合、該検定は固定された分子に結合しそれにより親和性疑似体となるファージ上のペプチド、ポリペプチド又はタンパク質を探す。次いで、このような分子は潜在的なタンパク質疑似体としてさらなる類似体の候補となる。
【００７８】
該アレイは、該検定手法の品質管理の維持に役立つ正の対照及び／又は負の対照も含みうる。例えば、正の対照は生物試料又は化学試料に存在することが知られている結合相手と相互作用できるＰ分子でありうる。
【００７９】
本発明の別の一側面は、固体支持体上に固定された分子のアレイであって、該アレイが下記の式
【００８０】
【数１２】
0004763135.tif 000009
【００８１】
上式中、
Ｐは結合相手と相互作用できる結合グループの構成員であり、
ｎ１，ｎ２，・・・・ｎｉは結合グループの異なる構成員を表し、
ｘ１，ｘ２，・・・・ｘｊは異なる結合グループを表し、
ｂ、ｃ及びｄはそれぞれ結合グループｘ１，ｘ２，・・・・ｘｊの異なる構成員の数を表し、ｂ、ｃ及びｄは同一でも異なっていてもよく、ｂ、ｃ又はｄの少なくとも一つは０でないことを条件として、そのそれぞれは約０から約１００までであり、ｚは該アレイ上の分子の群の総数であって、約２から約２０００までである、により定義され、
該固定された分子とそれらの各結合相手の間の相互作用のパターンが、正常な状態若しくは病気の状態若しくは障害又は病気の状態若しくは障害が発症する性質又は結合相手の存在、型及び／又は量を示すものであるアレイに関する。
この病気の状態又は障害は癌であることが好ましい。
【００８２】
該アレイ上の分子は不連続スポットで整列していることが好ましい。ｚは異なる型の分子の不連続スポットの数である。該スポットは二連で整列しているため、該アレイ上の点の総数は２ｚであることが都合がよい。
「・・・・・・」の表現は、例えば
【００８３】
【数１３】
0004763135.tif 000010
【００８４】
との間の基における随意の更なる構成員を意味する。式による該アレイの表示は該アレイの形状又は配列について何らの制限も意味するものではない。
【００８５】
特に好ましい実施態様においては、該Ｐ分子は免疫グロブリンでありそれらの結合相手は抗原である。しかしながら、本発明は、受容体、受容体に対するリガンド、Ｔ細胞に由来する抗原結合分子（ＴＡＢＭ）、又はとりわけレクチン、核酸結合タンパク質等のある種のリガンドに対して親和性を有する他の分子などのＰ分子の他のクラス、これらに限定されない、に及ぶ。該Ｐ分子は、例えば正常細胞若しくは癌細胞の表面上に存在する抗原、又は正常細胞若しくは癌細胞により放出される可溶性抗原、又は化学ライブラリー、ファージディスプレーライブラリー若しくは環境試料中に存在する抗原と相互作用できる免疫グロブリンであることが最も好ましい。
【００８６】
特に好ましい実施態様において、Ｐ分子のアレイ及びより具体的には免疫グロブリン分子のアレイは、癌等の病気の状態若しくは障害の間に発現するらしい抗原、又は一般的に正常細胞上に存在する抗原、又は微生物、ウイルス若しくは寄生生物若しくは病原体上に存在する抗原に基づいて選択される。この「抗原」は化学ライブラリー、ファージディスプレーライブラリー又は環境試料中の一部であってもよい。「抗原」という用語はその最も広い意味で使用され、細胞外ドメインを持つ細胞質膜関連タンパク質、イオンチャンネル関連タンパク質、並びに受容体、炭水化物部分等を含む。次いで、標的抗原に対する免疫グロブリン分子の結合のパターンは病気の状態の診断又は正常な状態の決定に役立つ。該アレイは正及び負の内部対照をさらに含むことが最も好ましい。
【００８７】
従って、本発明の別の一側面は、癌についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該抗原が正常細胞若しくは癌細胞の表面上に発現され又は正常細胞若しくは癌細胞により放出されるものであり、該固定された免疫グロブリンとそれらの各抗原の結合パターンが癌若しくは癌が発症する性質の存在又は正常な状態の存在を示すものである装置を意図する。
【００８８】
関連する実施態様においては、非腫瘍性障害についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該抗原が非腫瘍性障害細胞の表面上に発現され又は非腫瘍性障害細胞により放出されるものであり、該固定された免疫グロブリンとそれらの各抗原の結合パターンが非腫瘍性障害又は非腫瘍性障害が発症する性質の存在を示すものである装置が提供される。
【００８９】
さらに関連する実施態様においては、微生物、ウイルス、寄生生物又は他の病原体についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該抗原が微生物、ウイルス、寄生生物若しくは病原体の表面上に発現され又はそれらにより放出されるものであり、該固定された免疫グロブリンと該抗原の結合パターンが上記の微生物、ウイルス、寄生生物又は病原体の存在又は不存在を示すものである装置が提供される。
【００９０】
その上、本発明のさらなる実施態様は、化学ライブラリー、ファージディスプレーライブラリー又は環境試料の中の結合相手についての検定用装置であって、該装置が異なる不連続領域が異なる抗原に対して特異性を有するように該固体支持体の不連続領域に固定された免疫グロブリン分子又はそれらの機能的誘導体若しくは等価物のアレイを含み、該固定された免疫グロブリンと該抗原の結合パターンが該結合相手の存在、型及び／又は量を示すものである装置に関する。
【００９１】
一般的に、免疫グロブリンの範囲は、正常な細胞、癌細胞、潜在的な癌細胞、微生物、ウイルス、寄生生物若しくは他の病原体、病原体が感染した若しくは病原体により冒された細胞上で発現する抗原、又は化学ライブラリー、ファージディスプレーライブラリー若しくは環境試料中で捜し出された抗原に基づいて選択される。異なる抗原に特異的な免疫グロブリンの各グループはｘ１，ｘ２，・・・・ｘｊと定義される。一つの実施態様において、試料は細胞の混合集団を含むであろうし、該アレイ上の免疫グロブリン分子は特定の細胞型上の抗原に選択的に結合するよう設計される。別の一実施態様において、該試料は、合成化合物（例えば、アルカン、アルケン、芳香族、ポリマー、環状分子）、オリゴ糖類、タンパク質、脂質、リポタンパク質及び炭水化物を含む化学分子の混合物である。該免疫グロブリンは同一抗原上の異なるエピトープにも向けられうる。一つの不連続な抗体スポットは一つのエピトープ特異性をもつ免疫グロブリンを含みうるし、又は該免疫グロブリンは一つの抗原上の複数のエピトープに対する異種の１グループでありうる。不連続な抗体スポットは、異なる抗原に対する複数の抗体も含みうるが、例えば特定の一細胞上で発現する全てに対するものではない。これは該細胞の捕捉が次の分析に持ち込まれる場合に役立つ。
【００９２】
グループｘ１，ｘ２，・・・・ｘｊの各々の中で、ｘ１，ｘ２，・・・・ｘｊグループにより規定される同一抗原の異なる部分に対して特異的な幾つかの免疫グロブリンの部分−グループが存在しうる。これらの部分グループはｎ１，ｎ２，・・・・ｎｉにより規定される。
【００９３】
従って、本発明の別の一側面は、正常細胞若しくは癌細胞上で発現した抗原、又は正常細胞若しくは癌細胞により放出された抗原、又は微生物、ウイルス、寄生虫、若しくは病原体上で発現する抗原又は化学ライブラリー、ファージディスプレーライブラリー若しくは環境試料中に存在すると思われる抗原に特異的な免疫グロブリン又はそれらの誘導体若しくは化学等価物のアレイであって、各抗原又はその部分に特異的な免疫グロブリンの各グループが固体支持体の不連続領域を占有し、該アレイが下記の式
【００９４】
【数１４】
0004763135.tif 000011
【００９５】
上式中、
ｑは正常細胞若しくは癌細胞上に発現した抗原又は正常細胞若しくは癌細胞により放出された抗原又は微生物、ウイルス、寄生虫、若しくは病原体上に発現する抗原又は化学ライブラリー、ファージディスプレーライブラリー、若しくは環境試料の中に存在すると思われる抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、それぞれ０から１００までであり、
ｙは該アレイ上の免疫グロブリンのグループの総数であって、約２から約２０００までである、
により定義され、
該固定された免疫グロブリンとそれらの各結合相手の間の相互作用のパターンが、正常な状態又は癌の発症又は癌が発症する性質又は微生物、ウイルス、寄生生物若しくは病原体の存在を示し又は化学試料若しくは環境試料中の結合相手の存在、型及び／又は量を示すものであるアレイに関する。
【００９６】
上述したように、該アレイは正の対照及び／又は負の対照をも含みうる。一般的に、該免疫グロブリンは不連続のスポットで整列し、ここでｙは異なる型の免疫グロブリンの不連続スポットの総数である。該スポットは二連で整列していることが好ましい。「・・・・・・」の表現は上に定義されている通りである。
【００９７】
特に好ましい実施態様において、該免疫グロブリンは、分化のクラスター抗原即ちクラスター指定（ＣＤ）抗原又は白血病細胞上に発現する骨髄（ＭＹ）抗原又はリンパ（ＬＹ）抗原と相互作用する。癌又は癌が発症する性質は、特定の抗原を担う細胞の集団又は割合の増加により検出される。
【００９８】
従って、本発明の別の一側面は、癌についての検定用装置であって、該装置が異なる不連続領域が異なるクラスター指定抗原及び／又は白血病細胞上に発現する骨髄抗原及び／又はリンパ抗原に対して特異性を有するように該固体支持体の不連続領域に固定された免疫グロブリン分子又はそれらの機能的誘導体若しくは等価物のアレイを含み、該固定された免疫グロブリンとそれらの各抗原の結合パターンが癌又は癌が発症する性質の存在を示すものである装置を意図する。
【００９９】
該免疫グロブリンはモノクローナル抗体であることが好ましいが、本発明はポリクローナル抗体又はそれらの抗原結合部分（例えばＦａｂ断片）、誘導体、ホモログ若しくは類似体並びに融合抗体即ちハイブリッド抗体、合成抗体又は組換え抗体にも及ぶ。
【０１００】
本発明の更なる別の一側面は、非腫瘍性細胞上に発現した抗原又は非腫瘍性細胞により放出された抗原又は微生物若しくは寄生細胞若しくは病原体若しくはウイルス上に発現した抗原に特異的な免疫グロブリン又はそれらの誘導体若しくは化学等価物のアレイであって、各抗原又はその部分に特異的な免疫グロブリンの各グループが固体支持体の不連続領域を占有するものであり、該アレイが下記の式、
【０１０１】
【数１５】
0004763135.tif 000012
【０１０２】
上式中、
ｑは該抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの数であって、約１から約２０００までである、
により定義されるものであり、
該固定された免疫グロブリンとそれらの各抗原の間の相互作用のパターンが、非腫瘍性障害の進行又は非腫瘍性障害が発症する性質を示し又は特定の微生物、寄生生物、病原体若しくはウイルスの存在を示すものであるアレイを提供する。
【０１０３】
抗原−免疫グロブリン結合の検出は幾つかの方法のいずれでも達成されうる。例えば、該抗原が細胞表面抗原である場合、該アレイは固定された免疫グロブリンに細胞が結合できるよう設計されうる。次いで、この捕捉された細胞は、顕微鏡的に、又は種々の染色を使用して生化学的若しくは免疫学的に分析されうる。
【０１０４】
または、固定された該免疫グロブリンは特定の細胞型に対する捕捉分子として作用し、次いで正常細胞又は癌細胞上にある他の抗原の発現は標識抗体（例えば、蛍光標識抗体又は放射標識抗体）を用いて又は他の簡便な方法により測定される。該抗体は遊離の溶液中にあることが好ましい。該捕捉分子は可溶性抗原に対するものでも固体腫瘍から分離した細胞に対するものでもよい。後者に関しては、細胞懸濁液が固体腫瘍生検試料から作製され、該細胞懸濁液を該免疫グロブリンアレイと接触させることが都合がよい。
【０１０５】
固定された免疫グロブリンのアレイが遊離の抗原（即ち、可溶性の抗原）に結合するよう設計されている場合、この捕捉された抗原は次に免疫学的に又は他の手段により検出されうる。
【０１０６】
本発明の検定用装置は平らで平面の表面を有する固体支持体であることが好ましい。適切な固体支持体の例には膜、細長いプラスチックカバー片、スライドガラス、又はマイクロタイタートレイのウェルが含まれる。ニトロセルロースが特に好ましい。該固体支持体は、免疫グロブリンで被覆された領域のアレイを含み、スポット又は他の幾何学的模様の形状であることが好ましい。該スポットは不連続であり如何なる免疫グロブリン分子をも含まない領域に囲まれている。所与の領域又はスポットの内部の免疫グロブリンは一般的に共有結合又は非共有結合により固定されている。好ましい免疫グロブリンはモノクローナル抗体である。
【０１０７】
該アレイのスポットは、免疫グロブリン領域の位置が例えば行及び列に基づく座標により規定される場合、長方形、三角形又は球形の行列などの配列で整列させる。免疫グロブリンのアレイは約０．１ｍｍ2から約１００ｍｍ2まで、好ましくは約０．５ｍｍ2から約１５ｍｍ2までといった便宜的な任意の領域を被覆しうる。一般的に、各々の領域又はスポットは一つの独特の特異性を有する免疫グロブリンから構成される。この文脈における特異性とは異なる抗原又は一抗原の異なる領域に関するものである。免疫グロブリンスポットの数は約７から約１０００までが好ましく、約１０から約１０００までがより好ましい。免疫グロブリンは、二連、三連以上といった複数で整列するのが最も好ましい。
【０１０８】
次いで、固定された免疫グロブリンのアレイは、細胞、細胞破砕物、細胞抽出物、組織液、血清、血液、脳脊髄液、尿、リンパ液、吸引液、骨髄吸引液、粘液又は他の組織液若しくは体液を含む生物試料と接触させる。または、該試料は化学ライブラリー、水生試料若しくは陸生試料などの化学試料又は環境試料である。該試料は細胞の混合集団を含むことが好ましい。該接触は、固定された該免疫グロブリンが特定の抗原をもつ細胞を捕捉するため又は固定された該免疫グロブリンが遊離の抗原を捕捉するために十分な時間及び条件の下で行う。次いで、捕捉された細胞及び抗原は、生化学的、組織化学的、免疫学的、又は顕微鏡学的などの任意の便利な手段により検出されうる。免疫学的検出がとりわけ便利である。例えば、捕捉された抗原又は細胞に特異的で且つレポーター分子で標識された第二免疫グロブリンを添加してもよい。該レポーター分子を同定すれば該抗原を捕捉したことが明らかになる。または、該第二免疫グロブリンが添加され捕捉された抗原と複合体を形成した後、レポーター分子で標識された抗免疫グロブリンを添加し該レポーター分子からのシグナルの存在を測定する。
【０１０９】
本明細書で用いられるとき「レポーター分子」とは、その化学的性質により、免疫グロブリン結合抗原の検出を可能とする分析的に同定可能なシグナルを提供する分子を意味する。検出は、定性的でも定量的でもよい。このタイプの検定で最も慣用されるレポーター分子は、酵素、発蛍光団又は放射性核種（すなわち、放射性同位元素）のいずれかを含有する分子である。酵素免疫検定の場合は、酵素を、一般にグルタルアルデヒド又は過ヨウ素酸塩により、第二又は第三免疫グロブリンに結合する。しかしながら難なく認識されるように、当該技術分野の者が容易に利用できる広範囲の種々の異なる結合技術が存在する。通常用いられる酵素としては、中でもセイヨウワサビペルオキシダーゼ、グルコースオキシダーゼ、β−ガラクトシダーゼ及びアルカリ性ホスファターゼが挙げられる。特異的な酵素と共に用いられる基質としては、対応する該酵素による加水分解の際に、検出可能な色変化を生じさせるものが一般的に選択される。蛍光生成物を生ずる蛍光性基質を採用することも可能である。
【０１１０】
代替的には、フルオレセインやローダミンといった蛍光化合物をその結合能を変化させることなく免疫グロブリンに化学的に結合させるとよい。特定の波長の光で照射することにより活性化する場合は、蛍光色素標識免疫グロブリンはその光エネルギーを吸収し、分子を励起状態に誘導した後、顕微鏡下で又は共焦点顕微鏡又は二次元レーザースキャナーといった他のイメージ化装置（例えば、フルオルイメージャー及びタイフーン, Molecular Dynamics, Inc., Sunnyvale, USA）を用いて可視的に検出可能な特徴的な色の光を照射する。
【０１１１】
癌若しくは癌を発症する性質の存在又は癌でない病気の状態の存在は、特定の細胞の数の変化又は特定の抗原を担持する細胞の数の割合の変化により示されるであろう。例えば、ある細胞型の増加は特定の状態を示すことになる。
【０１１２】
本発明の別の一側面は、動物、鳥類若しくは植物における癌、これらに限定されないが、などの病気の状態若しくは障害の存在又は病気の状態若しくは障害を発症する性質の存在を決定する方法であって、該動物、鳥類若しくは植物から、該病気の状態若しくは障害と直接的若しくは間接的に関連する遊離の結合相手若しくは細胞表面に結合した結合相手を含む生物試料を取得する工程、及び該生物試料を該結合相手に結合できる分子のアレイを含む固体支持体と接触させる工程であって、該結合相手との相互作用のパターンが該病気の状態若しくは障害又は該病気の状態若しくは障害を発症する性質を示すものである工程、を含んでなる方法を意図する。
【０１１３】
該結合相手は病気の状態又は障害と関連する二以上の異なる抗原を含んでおり、そして該分子のアレイは異なるグループの抗原に対する特異性を有する免疫グロブリンのアレイであることが好ましい。
【０１１４】
相互作用のパターンは、免疫検定、顕微鏡観察又は組織学的若しくは生化学的技術といった便利な手段により決定すればよい。相互作用のパターンは、電気インパルス、電子放射及び／又は放射活性放射によって決定してもよい。
【０１１５】
特に好ましい実施態様では、本発明はヒト又は非ヒト動物における癌又は癌を発症する性質を検出する方法であって、該ヒト又は非ヒト動物から生物試料を取得する工程、及び該生物試料を正常細胞若しくは癌細胞上で発現した又は正常細胞若しくは癌細胞により放出された抗原に特異的な免疫グロブリン又はその誘導体若しくは化学等価体のアレイと接触させる工程であって、各抗原又はその部分に特異的な免疫グロブリンの各グループが固体支持体の不連続領域を占有し、該アレイが式
【０１１６】
【数１６】
0004763135.tif 000013
【０１１７】
上式中、
ｑは正常細胞若しくは癌細胞上に発現した抗原又は正常細胞若しくは癌細胞により放出された抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの総数であって、約２から約２０００までである、
により定義され、
該固定された免疫グロブリンとその各抗原との相互作用のパターンが癌の発症又は癌を発症する性質を示すものである工程、を含んでなる方法を意図する。
【０１１８】
本発明のなおも別の側面は、病気の状態若しくは障害の存在又は病気の状態若しくは障害を発症する性質の存在を決定するための、生物試料中に存在すると思われるそれぞれの結合相手と相互作用できる分子のアレイの使用に関する。
【０１１９】
該分子は免疫グロブリンであることが好ましい。
【０１２０】
該免疫グロブリンは癌細胞上の抗原又は癌細胞により放出された抗原などの全ての結合抗原若しくは可溶性抗原に特異的であることが好ましい。
【０１２１】
特に好ましい実施態様では、相互作用のパターンをアレイ中の分子に結合した細胞又はアレイの分子に結合した無細胞抗原のいずれかの密度のパターンとして定性的に又は定量的に測定する。該密度のパターンは、例えば、肉眼又は顕微鏡により測定してもよく、又はコンピュータ制御デンシトメーターを用いるなどの人工知能の助けをかりて作成してもよい。さらに、本発明は結合パターンの定量をも包含する。このような抗体アレイの計量的側面としては、例えば細胞の数、抗原結合のパターン又は細胞結合のパターン、細胞の結合数のスポット当たりの密度又は細胞当たりの抗原の数が挙げられる。
【０１２２】
従って本発明の別の側面では、分子のアレイを含む検定用装置であって、該アレイ中の各分子が、負の対照を除き、動物、鳥類若しくは植物由来の生物試料に存在すると思われるそのそれぞれの結合相手と相互作用でき、該分子が該アレイ中で、該分子と該結合相手の間の相互作用の際における他と異なる密度パターンが病気の状態若しくは障害又は病気の状態若しくは障害が発症する性質を示す同定可能なシグナルを提供するように、整列しているものである検定用装置が提供される。
【０１２３】
より詳しくは、本発明はヒトなどの動物の癌又は癌が発症する性質を診断するための検定用装置であって、該検定用装置が固体支持体に固定された分子のアレイを含んでおり、該アレイ中の各分子が、負の対照を除き、該動物由来の生物試料中のそのそれぞれの結合相手と、それが存在するときは、相互作用でき、該分子が該アレイ上で、固定された分子とそのそれぞれの結合相手の間の相互作用の際における他と異なる密度パターンが癌又は癌が発症する性質の存在を示す同定可能なシグナルを提供するように、整列しているものである検定用装置を意図する。
【０１２４】
固定された該分子は免疫グロブリンであり、該結合相手は細胞に結合した抗原、細胞内抗原又は可溶性（すなわち、遊離の）抗原であることが好ましい。
【０１２５】
特に好ましい実施態様では、該免疫グロブリンは、スクリーニングされる癌が存在する場合、相互作用のパターンが容易に検出されうる文字、数字又は幾何学的図形といった同定可能な形を与える他と異なる密度を提供するように、アレイ上で整列している。
【０１２６】
例えば、急性骨髄白血病（ＡＭＬ）の際発現されるような抗原は、文字「Ａ」がバックグラウンドと比べより密度の高いスポットとして優先的に示されるように配置することができる。いかなる幾何学的形又は配列を用いてもよいので、この文字「Ａ」は例示目的として用いられたにすぎない。
【０１２７】
本発明のなおも別の一側面は、固体支持体上に固定された分子のアレイであって、該アレイが式
【０１２８】
【数１７】
0004763135.tif 000014
【０１２９】
上式中、
Ｐは結合相手と相互作用できる結合グループの構成員であり、
ｎ１，ｎ２，・・・・ｎｉは結合グループの異なる構成員を表し、
ｘ１，ｘ２，・・・・ｘｊは異なる結合グループを表し、
ｂ、ｃ及びｄはそれぞれ結合グループｘ１，ｘ２，・・・・ｘｊの異なる構成員の数を表し、ｂ、ｃ及びｄは同一でも異なっていてもよく、ｂ、ｃ又はｄの少なくとも一つは０でないことを条件として、そのそれぞれは約０から約１００までであり、ｚは該アレイ上の分子の群の総数であって、約１から約２０００までである、
により定義され、
該分子が該アレイ上で、固定された分子とその各結合相手の間の相互作用の際における結合しているグループ内の他と異なる密度パターンが病気の状態若しくは障害又は該病気の状態若しくは障害が発症する性質を示す同定可能なシグナルを提供するように、整列しているものである、分子のアレイに関する。
【０１３０】
本発明のなおもさらなる側面では、癌のための検定用装置であって、該装置が、異なる不連続領域が異なる抗原に特異性を有するように、固体支持体の不連続領域に固定された免疫グロブリン分子又はその機能的誘導体若しくは等価体のアレイを含むものであり、該抗原が正常細胞若しくは癌細胞の表面上に発現した抗原又は正常細胞若しくは癌細胞により放出された抗原であり、該結合している免疫グロブリンが該アレイ上で、そのそれぞれの抗原に対する固定された免疫グロブリンのパターンが、同定可能なシグナルの形状であって癌又は癌が発症する性質の存在を示すものである密度の異なるパターンを提供するように、整列している装置が意図される。
【０１３１】
本発明のなおも別のさらなる側面では、正常細胞若しくは癌細胞上に発現した抗原又は正常細胞若しくは癌細胞により放出された抗原に特異的な免疫グロブリン又はその誘導体若しくは化学的等価体のアレイであって、各抗原又はその部分に特異的な免疫グロブリンの各グループが固体支持体の不連続領域を占有し、該アレイが式
【０１３２】
【数１８】
0004763135.tif 000015
【０１３３】
上式中、
ｑは正常細胞若しくは癌細胞上に発現した抗原又は正常細胞若しくは癌細胞により放出された抗原に特異的な免疫グロブリンであり、
ｍ１，ｍ２，・・・・ｍｉは同一抗原の異なる部分に結合する同一免疫グロブリングループの構成員を表し、
ｏ１，ｏ２，・・・・ｏｋは異なる抗原に対する特異性により規定される免疫グロブリンの異なるグループを表し、
ｅ，ｆ及びｇはｏ１，ｏ２，・・・・ｏｋそれぞれのグループのそれぞれの内の異なる免疫グロブリンの数を表し、ｅ，ｆ及びｇは同一でも異なっていてもよく、ｅ，ｆ及びｇの少なくとも一つが０でないことを条件としてそれぞれ０から１００までであり、
ｙは該アレイ上の免疫グロブリンのグループの総数であって、約１から約２０００までである、
により定義され、
該分子が該アレイ上で、固定された免疫グロブリンとそのそれぞれの抗原の間の相互作用の際における他と異なる密度パターンが癌の発症又は癌が発症する性質を示す同定可能なシグナルを提供するように、整列しているものである、アレイに関する。
【０１３４】
本発明のなおもさらなる側面では、癌のための検定用装置であって、該装置が固体支持体の不連続領域に固定された免疫グロブリン分子又はその機能的誘導体若しくは等価体のアレイを含み、異なる不連続の領域が白血病細胞上で発現される分化のクラスター（ＣＤ）抗原及び／又はリンパ性（ＬＹ）抗原及び／又は脊髄（ＭＹ）抗原の異なるものに対して特異性を有するものであり、該分子が該アレイ上で、そのそれぞれの抗原に対し固定された免疫グロブリンが結合する際における他と異なる密度パターンが、癌又は癌が発症する性質の存在を示す同定可能なシグナルを提供するように、整列している装置を意図する。
【０１３５】
別の一側面は、動物、鳥類又は植物における癌、これらに限定されないが、などの病気の状態若しくは障害の存在又は病気の状態若しくは障害を発症する性質の存在を決定する方法であって、該動物、鳥類又は植物から、該病気の状態若しくは障害と直接的若しくは間接的に関連する遊離の結合相手若しくは細胞表面に結合した結合相手を含む生物試料を取得する工程、及び該生物試料を該結合相手に結合できる分子のアレイを含む固体支持体と接触させる工程であって、該分子が該アレイ上で、結合相手と相互作用する際の他と異なる密度パターンが、病気の状態若しくは障害又は該病気の状態若しくは障害が発症する性質を示す同定可能なシグナルを提供するように、整列している工程、を含む方法を意図する。
【０１３６】
本発明のなおもさらなる側面では、ヒト若しくは非ヒト動物における癌を治療する方法であって、該ヒト又は非ヒト動物から生物試料を取得する工程、該試料を固体支持体の不連続領域に該異なる不連続領域が正常細胞若しくは癌細胞の表面で発現され又は正常細胞若しくは癌細胞により放出される異なる抗原に対し特異性を有するように固定化された免疫グロブリン分子若しくはその機能的誘導体若しくはその等価物のアレイと接触させる工程、及びそのそれぞれの抗原への該固定化免疫グロブリンの結合パターンを決定し、次いで該発現した抗原に対する抗体を用いて免疫治療を行う工程を含んでなる方法が意図される。これらの抗体はヒト化モノクローナル抗体であることが好ましい。同様の方法は非腫瘍性状態を治療するためにも用いうる。
【０１３７】
本発明の検定用装置及び検定を行う方法は容易に自動化される。例えば、ロボットシステムを用いて、ニトロセルロースフィルム又はマイクロタイタープレートなどの固体支持体にナノリットル容量といった適量の免疫グロブリンを送達しうる。適切な治療の後、固定した免疫グロブリンを任意の検定に用いうる。再度、ロボットを用いてこれを自動化又は実施してもよい。
【０１３８】
本発明はさらに、病気の状態若しくは病気の状態を発症する性質を決定し、又は微生物、ウイルス、寄生生物若しくは病原体を検出し、又は化学的ライブラリー、ファージディスプレーライブラリー若しくは環境試料をスクリーニングするための検定用装置の製造における本明細書中に記載するような抗体アレイの使用を意図する。
【０１３９】
本発明のアレイは、マイクロチップ上の使用に適応させてもよい。マイクロチップ技術により、ある範囲の状態についての幾千もの抗体パターンが形成され、さらに自動化及び／又はコンピュータ解析が可能となる。「マイクロチップ」としては、アダプター分子、リガンド又は潜在的な結合相手のアレイを含むマトリックス支持体が挙げられる。
【０１４０】
本発明はさらに、病気の細胞に特異的な若しくは病気の状態に特異的な抗体アレイ、又はタンパク質疑似体として働く抗体アレイを用いて抗原を同定する工程、該抗原に対する抗体又は該抗原に対し特異的な細胞毒薬剤を調製する工程、及びその後に該治療を有効とするのに充分な時間及び条件の下で該抗体又は細胞毒薬剤を投与する工程を含んでなる治療方法を意図する。
【０１４１】
一実施態様では、抗体は非ヒト由来抗体のヒトに適応させた形態である。別の実施態様では、ヒト抗原又はヒトに適応させた抗原を細胞毒性分子と結合させる。本発明は、抗体、細胞毒性剤又はタンパク質擬似体を含んでなる薬学的組成物にも及ぶ。このような組成物は、一つ以上の薬学的に許容しうる担体及び／又は希釈剤を含んでもよい。
【０１４２】
一つの実施態様において、該抗体は非ヒト誘導抗体のヒト化型である。別の一実施態様では、該ヒトの抗原又はヒト化抗原を細胞毒分子に結合する。本発明は該抗体、細胞毒物又はタンパク質疑似体を含む医薬組成物にも及ぶ。このような組成物は一つ以上の薬学的に許容しうる担体及び／又は希釈剤を含むこともできる。
【０１４３】
例示のためだけに、本発明を特別な一実施態様、すなわちＣＤ抗原を検出するためのアレイの使用を参照してここに記載する。以下の記載は、本発明を特別な一実施態様に限定する意図をもつものではない。
【０１４４】
本発明のこの側面の抗体アレイは、血液から単離した白血球表面上のＣＤ抗原の発現を迅速に、且つ同時に検出することができる。５１種のＣＤ抗原に対する抗体、４種のねずみイソタイプ対照抗体（IgG1、IgG2a、IgG2b、IgM）及び白血病の診断に重要な７種の他の表面マーカーに対する抗体（グリコホリンA、HLA-DR、KOR-SA3544、FMC7、免疫グロブリン、カッパ及びラムダ）を顕微鏡スライドグラス上のニトロセルロース膜に５ｎＬドットとして付着させる。特定のＣＤ抗原を発現する白血球だけが対応する抗体ドットに結合する。ＣＤ抗原の特異的な部分集合を発現する特定のカテゴリーの白血球を、ＣＤ抗体アレイへの細胞の結合から得られるドットパターンにより同定する。種々の型の白血球及び白血病がＣＤ抗原の発現パターンにより高度の確かさで同定される。この場合、白血球の異なる部分集合はアレイに表した約１２〜２０の抗原の異なる組み合わせを表現する（図１及び２）。多要素解析のこの形態は異なる白血球又は白血病についてのパターン認識に基づく。本発明により、多数の抗体を用いることが可能となり、異なる試料又は個体の間の発現の変動が許容され、この特定を全く確固なものとすることができる。
【０１４５】
成熟白血球は、骨髄細胞並びにＴリンパ球及びＢリンパ球への特定の系統に沿って骨髄中の幹細胞から分化する。前駆体細胞がＣＤ抗原の特定の部分集合を発現する成熟した白血球の部分集団へと、種々の系統に沿って幹細胞から分化するにつれ、ＣＤ抗原の発現は変化する。こうして、白血病で発現されるＣＤ抗原の部分集合は特定の系統の前駆体細胞のものと類似しうる。または、突然変異による特定の系統の遮断により、異常な組み合わせのＣＤ抗原を発現する細胞への前駆体の分化が生じうる。
【０１４６】
本抗体アレイの適用は、正常な末梢血白血球（ＰＢＬ）及び慢性リンパ性白血病（ＣＬＬ）細胞上のＣＤ抗原発現の決定により例示される。ＣＬＬ細胞は均一な強度で抗体ドットに結合した。さらに、ＣＬＬ細胞は正常なＰＢＬより少数の抗体ドットにしか結合しなかった。３０〜８６×１０9細胞個／Ｌの白血球（ＷＢＣ）数まで進行した病気のＣＬＬ患者からの血液試料、及び正常なＰＢＬの密度に匹敵するＷＢＣ数（１０×１０9細胞個／Ｌ）を持つ患者からの血液試料も試験した。この低レベルＣＣＬについての抗体アレイのパターンは、なおも正常なＰＢＬのものとは識別されうる（図８Ｃに示したＣＬＬ患者ＫＢについての結果参照）。
【０１４７】
要約すると、６２個の抗体の原型アレイ（それぞれ図７及び８に示す５４個及び６０個のドットのアレイ）を用いると、正常なＰＢＬ及びＣＣＬ細胞上のＣＤ抗原部分集合の迅速、且つ再現可能な同定が可能であった。このアレイは、ＣＤ抗原発現に基づく白血病及びリンパ腫の異なる型の診断を可能とする。白血病又はリンパ腫についての異常なＣＤ抗原の同定は、その抗原に対するヒト化モノクローナル抗体を用いて患者を治療するための標的を提供する。例えば、リツクシマブ (Rituximab)は非ホジキンリンパ腫（ＮＨＬ）などのＢ細胞リンパ腫を治療するために用いられる抗ＣＤ２０である。カンパス−１Ｈ（Campath-1H) は、Ｔ−ＰＬＬやＢ−ＣＬＬといった慢性Ｔ細胞及びＢ細胞白血病を治療するために用いられるＣＤ５２である。このタイプのＣＤ抗体アレイは、自己免疫病及び免疫不全病、ＨＩＶ並びに単球増加症といった白血球に関する非腫瘍性障害の診断及び治療にも有用である。さらに、臍帯血や骨髄吸引物中の白血球を分析するためにこの方法を用いることもできた。
【０１４８】
以下の記載は、抗体アレイを調製する最も好ましい方法を提供する。抗体のパネルは、一般に抗体アレイを Cartesian Technologies PixSys TM 3200 Aspirate and Dispense System で構築するために用いられる。特別な診断又は検出プロトコールに使用するための抗体を選択する。各抗体は、一般に約０．５〜１．５mm間隔にドット形で約１〜約１０ナノリットル容量適用し、一般に顕微鏡スライドグラスなど、これらに限定されないが、の固体支持体上においたニトロセルロースフィルム上に適切なアレイを作成する。ドットを付加した後、支持体を、ライトボックス上で検査し、例えば鉛筆を用いてアレイの角を弱くマークする。次に、抗体アレイをスキムミルク、トチャカ抽出物又はカラギーナン若しくはゼラチンといった他の供給源など、これらに限定されないが、の遮断剤に浸す。約２％〜約１５％w/vのスキムミルクパウダーを含むＰＢＳで、４℃で一晩又は３７℃で約６０〜１２０分間、が特に有用である。遮断剤を適用した後、固体支持体を精製水で優しく洗浄し、室温で約６０〜１２０分間乾燥させる。次に、固体支持体を４℃で暗条件下、気密袋に保存する。
【０１４９】
抗体アレイ上で試験する細胞を新たに収集し、又は液体窒素保存から再構成する。細胞をPBS中で洗浄し、約１×１０5〜１×１０9細胞個／mLの密度で再懸濁する。次に、固体支持体を室温と同じに温め、PBSで湿らせ調製する。次に、しるしを付けたアレイの縁の周りのニトロセルロースを拭いて乾燥し、湿らせたティシューを敷いたペトリ皿などの湿潤環境に置く。約１００〜約５００μLの細胞懸濁液をスライドグラス上のアレイの拭いた縁の内側にピペットで移す。次に、アレイを約３０分間室温で、加湿し閉じたペトリ皿内で細胞と共にインキュベートする。この点で、インキュベーションの時間及び温度は、検定を行う者にとって都合の良い特別な条件に合わせて変更してもよい。
【０１５０】
細胞とのインキュベーション後、固体支持体を注意深くＰＢＳに沈め、又は浸し、次にＰＢＳの入ったペトリ皿に置き、穏やかに振動させアレイに特異的に結合していない細胞を洗い落とす。顕微鏡観察により、重大なバックグラウンド結合が起こったと観察された場合は、洗浄工程を繰り返す。
【０１５１】
次に、アレイを顕微鏡で、例えばオリンパスBX60蛍光顕微鏡（Olympus Optical Company、日本）を用いて、UPLan4×対物レンズで、フェーズ１位置にセットした集光レンズを用い、光源の上を緑色フィルターで覆って観察する。像を捉え、SenSys digital cooled ＣＣＤカメラ（１３１７×１０３５ピクセル、Photometrics）、PCI Frame Grabber及び Windows Image Processing and Analysis Software (Digital Optics ）を用いて解析する。像をAdobe Photoshop version 3.0ソフトウェアを用いてプレゼンテーション用に加工する。また、各抗体ドットへの細胞の特異的結合強度を、＋／−、＋、＋＋、＋＋＋の相対スケールを用いて記録する。
【０１５２】
コンピュータファイルとして結果を記録した後、３０分間ＦＡＣＳ固定液（０．９４％v/vホルムアルデヒド、２％のＤ−グルコース、０．０３％v/v ＮａＮ3 、ＰＢＳ(pH ７．３) ）にスライドグラスを浸して細胞が結合した抗体アレイを固定する。ＰＢＳでリンスした後、結合した細胞を５分間、細胞核を青く染色するヘモトキシリン対比染色剤（イミュノテク、フランス国、マルセイユ）で染色する。次に、固体支持体をＰＢＳでリンスし、乾燥し、室温で保存する。次に、固体支持体を引き続きＰＢＳで湿らせ、かつ顕微鏡で再度観察するとよい。
【０１５３】
本発明は特に前記のように、癌を検出するための検定を用いて例示するが、この検定は化学ライブラリー、ファージディスプレーライブラリーなどの化学試料中の又は環境試料中の特定の分子又は分子のクラス又は分子のファミリーを検出又は定量するために用いてもよい。特定の微生物、ウイルス、寄生生物又は他の病原体を検出又は定量するために用いてもよい。本発明はこれらの全ての側面に及ぶ。
【０１５４】
さらに、本発明は検定を行うための遺伝学的手段の使用にも及ぶ。この例では、Ｐ分子はオリゴヌクレオチドとなる。結合相手はＰ分子にハイブリダイズできるＤＮＡ又はＲＮＡ（例えば、ｍＲＮＡ）配列となる。特に好ましい実施態様では、結合相手はＲＴ−ＰＣＲに用いるような逆転写酵素により形成されるＤＮＡである。
【０１５５】
特別な一例では、白血球、白血病又はリンパ腫上のＣＤ抗原発現を検出するためにアレイを用いてもよい。アレイは、全てのＣＤ抗原（１６６又は特定の部分集合）に対応するオリゴヌクレオチドの微小アレイを含むであろう。この微小アレイは、固体支持体に共有結合した相補的なオリゴヌクレオチド（約２０ヌクレオチド[nt]）の小（pL）ドットからなるであろう。ｍＲＮＡを５，０００〜１０，０００個の白血球から抽出し、ＲＴ−ＰＣＲにより増幅して得られるＤＮＡ転写物の末端をビオチン又は32Ｐで標識する。次に、標識したＤＮＡをオリゴヌクレオチドアレイとハイブリダイズし、洗浄して結合していないＤＮＡを除去する。ｍＲＮＡのＤＮＡ転写物の存在を高分解能蛍光スキャナー又は放射活性スキャナーで検出して、ＣＤ・ｍＲＮＡの発現についてのドットパターンを得る。このドットパターンは抗体アレイに白血球を結合させて得られるものに対応するであろう。
【０１５６】
ＣＤ抗原発現の検出のためのこの二者択一的操作は無傷の細胞を用いた場合より高感度であるが、より高性能の機器を必要とする。この操作は、緩解状態にある患者の最小限の後遺症の検出に特に有用である。
【０１５７】
本発明は、このような遺伝的検定にも及ぶ。
【０１５８】
本発明は、以下の非限定的な実施例によりさらに記述する。
【０１５９】
実施例１
抗体アレイの調製
抗体は、Immobilon P 膜（PVDF、ミリポア・コーポレーション）などの適切な膜に共有結合していてもよい。後に、過剰量のスキムミルク調製物などのタンパク質溶液を用いて遮断することが好ましい。遮断剤は、結合表面上の非特異的結合を排除するよう設計される。他の適切な遮断剤としては、トチャカ抽出物又はカラギーナン若しくはゼラチンといった他の供給源が挙げられる。また、抗体をガラス製顕微鏡スライドグラス（Schleicher and Schuell, NH, USA ）上のニトロセルロースフィルムに吸着させ、次に結合していないニトロセルロースをスキムミルクで遮断する。また抗体をナイロン膜に吸着させる。細胞上の抗原への、結合した抗ＣＤ抗体の接近可能性を増大させるために、アレイに用いられる固体支持体を、ストレプトコッカス由来のプロテインＧの組換え型で、先端を切った形でまず被覆する。これはＩｇＧのＦｃ部分へのそのアフィニティーを維持するが、アルブミン及びＦａｂ結合部位並びに膜結合領域を欠いている（ゴワードら、1990）。抗体はプロテインＧのこの被覆に適用され、そのＦｃドメインを介して結合し、細胞と相互作用しないＦａｂドメインを残す。このＦａｂドメインは、固体支持体からさらに離れており、細胞膜上のＣＤ抗原の抗体への接近可能性をより大きくする。
【０１６０】
抗体のアレイは膜又はカバーガラス上にも構築される。この場合、抗体を二次元マトリックスの二連スポットとして膜に共有結合させる。１５×１５マトリックス、これに限定されないが、などのマトリックスにスポットを配置する。該抗体はモノクローナルであり、白血病細胞上で発現する、クラスターの分化（クラスター指定）抗原( ＣＤ抗原）及び骨髄（ＭＹ）抗原に特異的である。ＬＹ抗原に特異的な抗体も含められるであろう。ＣＤ抗原についての詳細は、http://www.ncbi.nlm.nih.gov/prow/cd/index molecule.htmから入手可能である。該スポットは顕微鏡サイズであり、抗体溶液(例えば、１０Ｆｇタンパク質／ｍｌ）の１滴（約１０ナノリットル）を膜又はカバーグラスなどのガラス表面の指定した部分に適用して作成され、まず３０％ｗ／vスキムミルクなどの非特異的タンパク質吸収剤(Dutch Jug, Bonlac Foods Ltd, メルボルン、オーストラリア国）で洗浄し、次にリンスする。他のタンパク質溶液及び他のブランドのスキムミルクを用いてもよい。該抗体をリジン残基のアミノ基、アスパラギン酸塩若しくはグルタミン酸残基のカルボキシル基又はシステイン残基のメルカプト基を介したりして固体支持体に共有結合させてもよい。該抗体アレイは、各抗原を発現する体液由来の細胞と選択的に結合しても、又は遊離の抗原と結合してもよい。正の対照及び／又は負の対照としては、試料中に存在することが知られている表面分子又は可溶性分子の抗体などが挙げられる。検定用装置の一形態の例を図３に示す。固体支持体は、顕微鏡スライドと同様のサイズ及び形であれば都合がよく、ガラス又は他のポリマー素材で構築されうる。図中に４０の二連で、不連続のスポットの、総計８０スポットを示す。顕微鏡スライドグラス周りに壁を別に付け加えても、又はスライドグラスに型どりしてもよい。これにより液体材料の保持が容易になる。本発明は本発明の方法を実施し得る他のいかなる装置にも及ぶ。
【０１６１】
実施例２
試料の調製
血液試料を凝固させないように処理した後、抗原の供給源即ち細胞表面発現抗原の供給源として用いた。「軟膜」を得るために遠心分離して、又はより詳しくはフィコル−ハイパック密度培地により末梢血リンパ球を分画してもよい。特異的抗体が共有結合した磁性ビーズであるダイナビーズを用いて、リンパ球又は他の細胞の部分集団のさらなる分画を行ってもよい。一般には、細胞を２×１０6細胞個/ ｍｌの密度でハンクス溶液に再懸濁し、２００μLの均一懸濁液として抗体アレイに適用する。ハンクス溶液は等張であり、この結合工程の間細胞の生存力及び完全性を維持するグルコースを含有する。細胞懸濁液を抗体アレイと３０〜６０分間（例えば、３０分間）３７℃で湿潤雰囲気下、インキュベートした後、結合していない細胞をリン酸緩衝化生理食塩水（ＰＢＳ，２０μＬの２部分）でアレイから洗浄し、次に別容器に移す。代替的には、結合していない細胞をやさしく揺すって懸濁し、アレイを予め温めたハンクス溶液（３×１ｍｌ）で洗浄する。
【０１６２】
実施例３
試料調製方法の改良
抗体のパネル（抗体の５１スポットなど）を用いて、Cartesian Technologies PixSys TM 3200 Aspirate and Dispense Systemで抗体アレイを構築する。白血病の共通型を診断するためにモノクローナル抗体を選択する。スライドグラス上の抗体アレイのための鋳型を図７Ａ及び８Ａに示す。各抗体（５ｎＬ）は顕微鏡スライドグラス上のニトロセルロースフィルム上に０．６５cm×０．４５cmアレイを作成するように、０．８mm間隔でドットを打つ。ドットを打った後、スライドグラスをライトボックス上で評価し、アレイの縁を鉛筆で弱くマークする。
【０１６３】
次に、抗体アレイをＰＢＳ中スキムミルク、ウシ血清アルブミン（ＢＳＡ）、ウシ血清、トチャカ抽出物又は他の供給源のカラギーナン若しくはゼラチンのなどの５％w/v遮断剤に４℃で一晩浸す、これは３７℃で９０分間の遮断に相当する。遮断後、スライドグラスをやさしく精製水で洗浄し、室温で９０分間かけて完全に乾燥させる。次に、スライドグラスをGladWrap（商標）で包み、気密袋に密封し、４℃で暗条件下保存する。
【０１６４】
抗体アレイ上で試験すべき細胞を新たに収集し、又は液体窒素保存から再構成する。細胞をＰＢＳで洗浄し、密度１×１０7細胞個／ｍＬに再懸濁する。試験するスライドの包みをほどき、室温に温め、ＰＢＳで湿らせる。次に、ニトロセルロースのマークしたアレイの縁の周りを拭いて乾燥させ、湿らせたティシューを敷いたペトリ皿に置く。細胞懸濁液（３００μＬ）を注意深くアレイの拭いた縁の内のスライドグラス上にピペットで移す。このアレイを約３０分間室温で、保湿し閉じたペトリ皿内で細胞と共にインキュベートする。
【０１６５】
細胞とインキュベートした後、スライドグラスをＰＢＳを入れた５０ｍｌ試験管に注意深く浸し、次いでＰＢＳのペトリ皿の中に置き、穏やかに揺らしてアレイに特異的に結合していない細胞を洗い落とす。スライドグラスの顕微鏡観察により重大なバックグラウンド結合がなお観察される場合は、この工程を結合パターンが現れるまで繰り返す。
【０１６６】
実施例４
検定
細胞又は抗原試料を抗体−膜アレイに適用し、最大結合能を得るようにインキュベートし、次に適切な洗浄溶液で結合していない材料を除去する。一般に、結合した細胞は化学的架橋結合により抗体に固定されている。アレイ中で抗体に結合した細胞を顕微鏡的に可視化し、形態を決定する。必要に応じ、細胞をアレイに固定し、染色し、酵素的に処理し、及び／又は酵素発現及び／又は受容体発現について試験する。
【０１６７】
固定した細胞をレポーター分子（例えば、蛍光色素）で標識した第二抗体と相互作用させてもよい。代替的に、それぞれ異なる蛍光色素を持つ一連の「第二」抗体を用いる。次に、細胞上の複数の抗原の発現を蛍光共焦点顕微鏡により測定する。
【０１６８】
固定した細胞を染色、又は蛍光標識すると、もとの体液試料中の細胞密度の定量が可能となる。この定量はアレイ中の各抗体ドットでの細胞密度を記録するプログラム可能なスキャナーにより自動化してもよい。例えば、二次元走査する（分解能５０Ｆｍ）レーザーデンシトメーター（モレキュラー・ダイナミクス・インク, Sunnyvale, CA, USA)が特に有用である。抗体スポットの染色度は、各抗体に結合した細胞数に比例する。蛍光検出の場合は、フルオルイメージャー又はタイフーン (モレキュラー・ダイナミクス・インク）を用いることができる（分解能５０ｉｍ）。
【０１６９】
ＣＤ及びＭＹ抗原に対する抗体などの抗体のアレイはその抗原の発現パターンを提供し、これは次に、異なる白血病についての抗原発現パターン（例えば、急性骨髄性白血病 [ＡＭＬ]）の集合と比較される。ＡＭＬ (Ｍ４) については、例えば以下の抗原：ＭＹ４（ＣＤ１４）、ＭＹ７、ＭＹ９及びＭ０１ (ＣＤ１１ｂ）が発現する。
【０１７０】
実施例５
ヒトＴ細胞系及びＢ細胞系の検出
ＣＤ３、ＣＤ４、ＣＤ８、ＣＤ１４、ＣＤ１９及びＣＤ５６ (Coulter Beckman)についての抗体溶液（１０μg/ｍＬ）の試料（０．４μＬ）を顕微鏡スライドグラス(Molecular Probes)上のニトロセルロースフィルムに適用し、ペトリ皿で湿潤雰囲気下に維持する。実施例２に記載したように、ヒトＣＣＲＦ−ＣＥＭ白血病及びラジ（Raji）Ｂリンパ腫細胞（１０7細胞個／ｍＬ)の懸濁液（５００ＦＬ）をアレイに適用し、インキュベートし、ＰＢＳで洗浄した。ＣＣＲＦ−ＣＥＭ白血病細胞は、抗ＣＤ４及び抗ＣＤ８には強く結合し、抗ＣＤ３にはいくらか結合し、抗ＣＤ１９には結合しなかった。ラジ細胞は抗ＣＤ１９にのみ結合した。これらの結果は、ＣＣＲＦ−ＣＥＭ細胞は、例えば高レベルのＣＤ４、中レベルのＣＤ８、低レベルのＣＤ３及びごくわずかなレベルのＣＤ１９、ＣＤ１４及びＣＤ５６を発現することを示す。逆に、ラジ細胞はＣＤ１９を発現するが、ＣＤ３、ＣＤ４、ＣＤ８、ＣＤ１４及びＣＤ５６は発現しない。ＣＤ抗原抗体アレイを用いて得られたこれらの結果は、発蛍光団ＦＩＴＣで標識した抗体を用いるフローサイトメトリー（Becton Dickinson Facscalibur)により確認された。これらのＣＤ抗原発現レベルはＴ及びＢ細胞について報告された抗原発現と一致する（ベーン及びマルティニ、1997）。これらの実施例の結果を図５Ａ及び５Ｂに示す。
【０１７１】
実施例６
検出方法の改良
アレイをオリンパスBX60蛍光顕微鏡（Olympus Optical Company、日本）を用いて、UPLan4×対物レンズで、フェーズ１位置にセットした集光レンズ及び緑色フィルターで覆った光源を用いて観察する。像を捉え、SenSys digital cooled CCDカメラ（１３１７×１０３５ピクセル、Photometrics）、PCI Frame Grabber及びWindows Image Processing and Analysis Software （Digital Optics）を用いて解析した。像（フレーム当たり６抗体ドット）をAdobe Photoshop version 3.0ソフトウェアを用いてプレゼンテーション用に加工した。また、各抗体ドットに対する細胞の特異的結合強度を、＋／−、＋、＋＋、＋＋＋の相対スケールを用いて記録する。
【０１７２】
コンピュータファイルとして結果を記録した後、３０分間ＦＡＣＳ固定液（０．９４％v/vホルムアルデヒド、２％ D-グルコース、０．０３％v/v NaN3、ＰＢＳ(pH ７．３)）にスライドグラスを浸して細胞の結合した抗体アレイを固定する。ＰＢＳでリンスした後、結合した細胞を５分間、細胞核を青く染色するヘモトキシリン対比染色剤（イミュノテク、フランス国、マルセイユ）で染色する。スライドグラスをＰＢＳでリンスし、乾燥し、室温で保存した。乾燥したスライドグラスを引き続きＰＢＳで湿らせ、かつ顕微鏡で再度観察できる。
【０１７３】
実施例７
抗体アレイに結合した細胞の可視化及び定量
抗体アレイに結合した血液試料から細胞又は抗原を検出する選択がいくつかある。
【０１７４】
(i)細胞又は抗原を、試料中の全タンパク質のアミノ基又はメルカプト基に蛍光基を共有結合させる試薬と反応させる。タンパク質標識キットとして入手可能な適切な発蛍光団（Molecular Probes、http://www.probes.com)はAlexa488及び３−（４−カルボキシベンゾイル）−キノリン−２−カルボキシアルデヒド（ＣＢＱＣＡ）であり、アルゴンレーザーを用いて４８８ｎｍで励起しうる。代替的には、アレイに結合した細胞を、細胞内エステラーゼにより脱アセチル化されて蛍光性の５−クロロメチルフルオレセインを形成する膜透過性プローブである５−クロロメチルフルオレセインジアセテート（ＣＭＦＤＡ）で標識する。この生成物はグルタチオンS-トランスフェラーゼＢ媒介反応を受けて膜非透過グルタチオンＢ−蛍光色素付加物を生成し、これは次にタンパク質及びペプチドののチオールと反応して、複合物を形成する。抗体アレイに結合した蛍光標識細胞を、スキャニング蛍光光度計（例えば、フルオロイメージャー又はタイフーン、Mlecular Dynamics, Inc)又は共焦点顕微鏡を用いて定量する。大部分の抗原結合部位が影響を受けないように、温和な反応条件を用いることが好ましい。異なる細胞を、異なる数の発蛍光団で、異なる程度に標識する。発蛍光団との反応に先立ち細胞は洗浄する。
【０１７５】
(ii)アレイに結合した無標識の細胞を、該細胞上の異なるＣＤ抗原に結合する可溶性の蛍光標識抗体と反応させ、結合した細胞の定量を可能とする。
【０１７６】
(iii)一部の試料については、細胞のＣＤ抗原のレベルが特定のスポットで利用可能な抗体数を越えるかもしれない。初めのスクリーニングにより発現されるとわかったＣＤ抗原は、特定の抗体の希釈系列を用いて、その後、定量することができるであろう。このアレイ上のスポット中の抗体数が試料中の細胞上のＣＤ抗原数を越える場合は、さらなる蛍光増大はない。蛍光対抗体量のプロットにより、血漿試料中のこのＣＤ抗原を発現する細胞密度が得られる。これらのデータから、細胞当たりの特定のＣＤ抗原数が計算される。この定量アレイ上の結合した細胞のレベルを、前記操作(i)又は(ii)を用いて決定する。
【０１７７】
実施例８
固定した細胞の検出
抗体−膜アレイ上に結合した細胞を顕微鏡的に可視化し、その形態を決定する。その形態を決定するには、細胞をアレイに固定及び染色し、放射活性標識又は蛍光標識したオリゴヌクレオチドプローブとハイブリダイズさせ、酵素的に処理又は酵素活性について試験する。また、固定した細胞を第二標識可溶性抗体（例えば、蛍光色素が付着した抗体）と又は実際にはそれぞれが異なる蛍光色素を持つ幾つかの異なる可溶性二次抗体と反応させてもよい。次に、該アレイ上の膜結合癌細胞（例えば、白血病）による複数抗原の発現を、共焦点顕微鏡などの蛍光顕微鏡により決定する。
【０１７８】
代替的方法では、固定した細胞を溶解又はその他の方法で処理して細胞内抗原を露出させ、次に細胞内抗原に特異的な第二標識可溶性抗体（例えば、蛍光色素が付着した抗体）と又は実際にはそれぞれが異なる蛍光色素を持つ異なる可溶性二次抗体と反応させる。次に、アレイに結合した膜結合癌細胞（例えば、白血病）による複数細胞内抗原の発現を、蛍光共焦点点顕微鏡により決定する。
【０１７９】
固定した細胞を染色又は蛍光標識して、元の体液試料中の細胞密度の定量を可能とする。この定量は、異なる抗体（例えば、ＣＤ、ＭＹ及び／又はＬＹ）について、アレイ中の各抗体ドットにおける細胞密度を記録するプログラム可能なスキャナーにより自動化してもよい。細胞のサブタイプの割合が分からない細胞混合物については、特定の表面抗原を発現する細胞の密度は、同じ抗体の密度が１０倍因子で異なる一連の均一サイズの抗体ドットに細胞を結合させることにより定量される。特定の細胞サブタイプの密度は、特定のドットの抗体密度が細胞懸濁液試料中の細胞密度を超える場合は、これらの連続希釈した抗体ドットに結合し、且つ、固定及び染色された細胞の濃度計又は蛍光計の走査により決定される。第二の解析形態は、膜に結合した特定の抗体の帯状小片に細胞懸濁液を走らせ、結合した細胞を固定及び染色し、次に総抗体帯状小片の長さに対する結合した細胞の帯状小片の長さを測定することである。次に、特定の抗原を発現する細胞の密度を、帯状小片における抗体の既知結合能から計算する。連続希釈した抗体ドット又は抗体帯状小片のために、癌細胞に関連しない正常な白血球上で発現した抗原についての内部標準を走らせる。
【０１８０】
モノクローナル抗体（例えば、ＣＤ、ＭＹ又はＬＹ抗原に対するもの）のアレイを用いて、このアレイにより同定される特定の抗原の発現パターンを、異なる白血病（例えば、M4  ＡＭＬ（急性骨髄白血病）：ＭＹ4(ＣＤ4)、ＭＹ７、ＭＹ９、ＭＯ１（ＣＤ11b)) についての抗原発現パターンの集合と比べる。細胞形態により、診断のための第二の基準が得られる。この診断は、どの抗体スポットが細胞に結合したかを決定するため該アレイを蛍光光度計又は分光光度計によりスキャニングし、特定の癌の抗原発現のパターンの認識をコンピュータ化して自動化してもよい。この方法は、広範囲の種々の白血病、リンパ腫及び他の転移癌の診断の自動化を可能とする。ＣＤ、ＭＹ又はＬＹ抗原に対する抗体の完全なアレイを用いて、新しいタイプの白血病及びリンパ腫が発見されるかもしれない。
【０１８１】
癌細胞上の特定の抗原の同定により、ヒト化モノクローナル抗体を用いるその後の免疫治療、又は毒素若しくは薬物が該抗体に共有結合している場合は抗毒素を用いる患者のその後の免疫治療のための本質的情報が得られる。患者における化学療法及び／又は放射線療法により導かれる緩和の進行並びに薬剤耐性細胞の成長によるその後の再発が、定期的細胞試料を用いて監視される。
【０１８２】
転移性の大腸癌、胸部癌、黒色腫又はその他の癌により発現される抗原に特異的な抗体の他のアレイにより、転移の危険がある大きな一次腫瘍を有する患者の体液（例えば、血液又は脳脊髄液）中の非常に低レベルの転移細胞を検出することが可能であろう。このような監視は、黒色腫などの成長が速い癌にとっては特に重要となろう。
【０１８３】
例えば、この白血病に対する文字「Ｍ」の形に、急性骨髄白血病（ＡＭＬ）に対応する抗体を配置することにより、「使いやすいインターフェイス」を作成してもよい。同じ抗体アレイが、「Ｌ」と配置された急性リンパ性白血病（ＡＬＬ）の抗体を有することもできよう。このように、一つのアレイにより、異なる癌についての表面抗原発現の既知パターンに基づいて直接診断をすることができよう。小さいサイズの抗体ドット及びドットのアレイは、試験の費用をさほど追加せずに同じ試料について幾つもの異なる試験を実施することを可能とするであろう。これは各抗体に僅か１セントの費用しかかからない１〜５ナノリットルサイズのスポットについては特に真実である。
【０１８４】
免疫系の種々の非腫瘍性障害は、循環系リンパ球の異常な集団を生ずる。１型糖尿病、多発性硬化症、重症筋無力症、悪性貧血、乾癬、慢性関節リウマチ、硬皮症及び全身性紅斑性狼蒼などの自己免疫疾患は、ＣＤ４を発現しうるＴ細胞の部分集合により、そしてＣＤ19を発現しうるＢ細胞の部分集合による自己抗原に対する抗体の産生により引き起こされる。例えば、量的異常は全身性紅斑性狼蒼の患者のリンパ球集団で観察された（↓ＣＤ4 ＋、ＣＤ４５＋Ｔリンパ球、↑ＣＤ８＋、ＣＤ５７＋Ｔリンパ球）。抗体アレイは、さらに自己抗原に対するＴ細胞及びＢ細胞の発展したクローンも検出する。
【０１８５】
感染再発を患った子供は先天的に免疫欠損症であるかもしれない。フローサイトメトリーによる免疫表現型を用いて、リンパ球部分集合における欠損を検出する。重篤な複合免疫不全症候群（ＳＣＩＤＳ）は、酵素アデノシンデアミナーゼの欠損により惹起され、Ｔ（ＣＤ３）及びＢ（ＣＤ１９）並びにナチュラルキラー（ＣＤ１６）細胞などの末梢血リンパ球が非常に低レベルとなる。プリンヌクレオシドホスホリラーゼの欠損はＢ細胞の欠損を生ずる。種々の免疫不全症は、免疫表現型決定により診断されるが、確定的診断には現在のところさらに酵素による検定及び核型決定が要求される。本発明の抗体アレイは、他の基準が要求されない場合、欠損しているリンパ球の部分集合についての確定的な情報を提供する。
【０１８６】
ヒト免疫不全ウイルス（ＨＩＶ）は、ＨＩＶの gp120タンパク質がＣＤ４に結合するので、主としてＣＤ４＋リンパ球に感染する。ＡＩＤＳ発症の過程で、ＣＤ４＋リンパ球の不可逆的涸渇が生ずる。しかしながら、マクロファージ、Ｂリンパ球及びミクログリア細胞といった他の多くの細胞型がＨＩＶに感染する。現在、ＣＤ４リンパ球の集団がＨＩＶの患者において監視されているが、免疫表現型決定は疾病管理センター（ＣＤＣ、米国、アトランタ）により推奨されるようにより詳細にされるべきである。以下の二重標識試験を、負の対照、ＣＤ４５/ ＣＤ１４、ＣＤ３／ＣＤ４、ＣＤ３／ＣＤ８、ＣＤ３／ＣＤ１９、ＣＤ３／ＣＤ１６、ＣＤ３／ＣＤ５６及びＣＤ４／ＣＤ８を用い、フローサイトメトリーにより行う。この労働集約的な手順は、これらのＣＤ抗原、及び悪影響を受けたリンパ球の部分集合をさらに規定するであろう追加の抗原に対する抗体を含むアレイを用いると一段階手法に置き換わる。患者がＨＩＶに感染している場合、約６週間で最小値までＣＤ４＋リンパ球が迅速に低下し、その後１２週間までにそのレベルの部分的回復がみられる。より長期間では、ＣＤ４＋リンパ球の低下が進行し、約１１年後死に至る（シントン、1998）。ジドブジン（ＡＺＴ）を用いた治療は、ＣＤ４＋リンパ球の一時的増大を導く。リンパ球の種々の部分集合に対する化学療法のこの効果は、抗体アレイを用いて監視され、ＨＩＶ患者の臨床的進行が追跡される。
【０１８７】
免疫表現型決定は、免疫抑制の程度及び拒絶又は感染などの合併症の程度を決定するための骨髄移植及び組織移植についても有用である（ベーネ及びマルティニ、1997）。モノクローナル抗体を用いて組織型を決定し、ＨＬＡ特異性又は交差適合を検出するために、移植の前にフローサイトメトリーを用いる。移植した組織に対する寛容性は、患者にサイクロスポリンを投与することにより誘導される。移植時点での処置は、末梢血リンパ球のレベルをほとんどゼロまで低下させることである。血液からのＴ細胞の消失は、ＣＤ３＋細胞についてのフローサイトメトリーにより監視される。移植後、ＣＤ８＋細胞の増加は拒絶の可能性のシグナルであり、そしてＣＤ８＋及びＣＤ１６＋、ＣＤ５６＋及び／又はＣＤ５７＋細胞の増大はウイルス感染を示しうる。この移植患者の免疫状態の監視は、抗体アレイを用いればより迅速かつ広範に行われる。
【０１８８】
一部の癌患者に高投与量の化学療法を施し、次に骨髄移植して彼らの消耗した免疫系を置き換える必要がある。次に、移植された髄は造血系の再構築を可能とするが、ＣＤ５＋Ｔ細胞などのリンパ球の異常な部分集合が現れることがしばしばある。日和見感染及び対宿主移植片病は、両症例ともＣＤ８＋細胞が増大し、ナチュラルキラー細胞が上昇するような患者で起こるであろう。ＣＤ抗原に対する抗体アレイを用いたフローサイトメトリーによる置き換えは、患者の監視を簡単にし、より多量の情報を提供する。
【０１８９】
ＣＤ抗原に対する抗体アレイは、ＣＤ４＋ＣＤ４５ＲＡ＋の数が増大し、かつＣＤ４＋ＣＤ４５Ｒ＋の数が上昇レベルから減少する昆虫又は蜘蛛毒液に対する脱感作治療の間、リンパ球部分集合の変化を監視するためにも有用である。慢性疲労症候群の患者は、ウイルス感染と一致した免疫学的異常があり、ＣＤ８＋リンパ球の活性化がみられる。本発明の抗体アレイによるリンパ球部分集合の詳細な解析は、新たな診断基準を確立し、この障害についての基本的な情報を提供する。
【０１９０】
実施例９
白血病を診断するための抗体アレイ
ＣＣＲＦ−ＣＥＭ・Ｔ細胞白血病及びラジＢ細胞リンパ腫は、顕微鏡スライドグラスに結合したＣＤ３、４、８、１４、１９及び５６に対する抗体のアレイを用いて識別することができる。識別可能なアレイは以下のようであると考えられる（「＋」は結合レベルを示す）。
0004763135.tif 000016
このアレイを全血及び末梢血リンパ球を用いて試験する。全てのスポットが、該スポットの一部の上で、異なる部分集団を有する細胞を結合する。細胞の部分集団は、以下のＣＤ抗原に対する抗体を用いて検出する。
ＣＤ２、７、３、４、５、８、９、１０、１１ｂ、１１ｃ、１３、１４、１５、１６、１９、２０、２１、２２、２３、２４、２５、３３、３４、３６、３７、３８、４１、４２、４５、５６、５７、９５、１２２。
【０１９１】
これらの抗体を用いて大きいアレイを構成し、患者から採取した白血病細胞の結合性質を調べる。特別な焦点は、ＡＭＬ、ＣＬＬ及びＡＬＬの患者に絞られるが、本発明はいかなる癌をもカバーする。この研究方法を用いれば、抗体アレイはこの一段階検定を用いて得られる抗原発現に関する大量の情報に基づき、新たな白血病部分集合を定義することができる。
【０１９２】
実施例１０
ニトロセルロースに基づく抗体アレイ
検定を準備するために用いる手順を、図４のフローチャートで説明する。Biodot Aspirate and Dispense System (Cartesian Technologies)を用いて、５ｎＬドットをガラス製顕微鏡スライドグラス上のニトロセルロースフィルム（Schleicher and Schuell、カタログ番号10484182）に適用し、抗体アレイを構築する。精製したモノクローナル抗体（Beckman Coulter, Becton Dickinson or Biosource International）をフローサイトメトリー解析に推奨される濃度で用い、製造者が提供するものと同じ緩衝液中に入れる。次に、ニトロセルロースを１．5時間３７℃で５％ｗ／ｖスキムミルク(Dutch Jug）と共にインキュベートして遮断する。これらの遮断条件は、バックグラウンド結合が最小となるように選択される。
【０１９３】
この乾燥アレイは、ヒトＣＣＲＦ−ＣＥＭ・Ｔ細胞白血病細胞系及びラジＢ細胞リンパ腫細胞系に対する結合能の損失なしに、３ヶ月以上４℃で保存される（表１及び２）。４℃、室温（２２℃）又は３７℃で１ヶ月間乾燥状態で保存した乾燥アレイの比較では、正常なＰＢＬを用いて試験すると、４℃では僅かに又は全く劣化がなく、室温では最小の劣化があり、３７℃では結合活性の部分的損失のみがあったことが示された（表３）。陰を付した抗体は、３７℃で１ヶ月の後もなお、強い結合活性を示し続けた。さらにアレイの安定性は、該抗体にタンパク質安定剤（例えば、ポリエチレングリコール又はサーモディクス，MN, USA から商業的に入手可能な安定剤）を添加することにより高められる。
【０１９４】
正常な白血球及び白血病細胞をヒストパック遠心分離により調製し、洗浄し、リン酸緩衝化食塩水（ＰＢＳ）に１０7細胞個／Ｌで再懸濁する。ＰＢＳの使用により、代謝的に涸渇した細胞を生じ、遮断した抗体アレイへの非特異的バックグラウンド結合を減少させることになる。細胞懸濁液をアレイに適用し、室温で３０分間インキュベートし、グルコース／ホルムアルデヒド／ＰＢＳ溶液で固定し、次にＰＢＳで洗浄する。アレイに結合した細胞の写真を撮影し、デジタル像を正常なＰＢＬ又は白血病の共通パターンに合わせる。試料の一部はニトロセルロースへのバックグラウンド結合を示すので、工程はバックグラウンドを最小にするよう行われる。細胞懸濁液用のＰＢＳ中に１ｍＭのＥＤＴＡ（キレート剤）を添加すると、特異的抗体結合を妨害せずにバックグラウンド結合が顕著に減少する。ＡＭＬ試料は、イソタイプの対照抗体に非常に強く結合することが分かる、これはＦｃ受容体の結合を示唆する。これは、１０％v/v熱不活性化ヒトＡＢ血清と共に細胞を予めインキュベートすることにより克服される。バックグラウンド結合の問題をさらに減少させるために、以下の化合物を使用して、ヘパリン、高分子量キニノーゲン、モチマイシン（Mocimycin）、ペントキシフィリン（pentoxifylline）、ベンジダミン（Tantum）、リドカイン(lidocaine) 及びナフチフィン (naftifine)を用いて、タンパク質合成を阻害することにより、及び／又は多くの活性化白血球上で発現されるＭａｃ−１接着性分子を遮断することにより、白血球の結合能を減少させる。
【０１９５】
湿らせたスライドグラスを４００倍の拡大で、暗視野顕微鏡を用いて精密に調べる。ドットは、６グループで写真撮影し、Adobe Photoshopソフトウェアを用いて合成写真を作成する。各抗体ドット上の細胞密度を、コンピュータソフトウェアを用いてデジタル画像から定量し、濃度計又は蛍光光度計のスキャニングにより記録する。アレイ上に結合した白血球を、Alexa 488結合抗ＣＤ４５（白血球共通抗原）により染色し、蛍光顕微鏡により観察する（図６）。こうして、三色共焦点顕微鏡を用いてさらに各抗体ドットに結合した細胞の同定及び特徴付けをする。アレイに結合した細胞について、組織化学染色（例えば、ミエロペルオキシダーゼ）を用いて、いくつかの白血病サブタイプ（例えば、ＡＭＬ）の同定を確認する。
【０１９６】
まず、三つの細胞系を、５４個の１０ｎＬ抗体ドットを含む一つのアレイ上で試験する（図７ａ〜ｄ）。抗体位置についての鍵を図７ａに示す。異なるドットパターンを、ＣＣＲＦ−ＣＥＭ・Ｔ細胞白血病（図７ｂ）、ラジＢ細胞リンパ腫（図７ｃ）及びＮＢ４骨髄細胞系（図７Ｄ）を用いて検出する。これらの結果を表４に要約する。
【０１９７】
正常なＰＢＬ、慢性リンパ性白血病（ＣＬＬ）、ヘアリー細胞白血病（ＨＣＬ）、急性骨髄白血病（ＡＭＬ）及びＢ細胞リンパ腫（ＢＣＬ）についての典型的なドットパターンを、抗体位置についての鍵と共に図８ａ〜ｇに示す（図８ａ）。ＰＢＬについてのＣＤ抗原発現パターンを、共通の発現パターンを示す陰を付したＣＤ抗原と共に、表５に要約する。新しく単離したＰＢＬ（ＲＩＣ）は、液体窒素で凍結させ、その後解凍させた同じＰＢＬと同様の結果を示す（表８に示す）。この観察により、抗体アレイを用いた分析に、凍結白血球及び白血病の使用が可能である。表６は、９人の白血病患者からのＣＬＬ細胞についてのＣＤ抗原発現のパターンを要約する。ＣＬＬ試料を凍結し、再試験する場合は、得られるパターンは再現性が高い。全ての試験したＣＬＬは、Ｂ細胞型のＣＬＬについての特徴的細胞表面マーカーであるＨＬＡ−ＤＲ及びＣＤ５、１１ｃ、１９、２０、２１、２２、２３、２４、３７、３８、４５、５２を強く発現した。
【０１９８】
表７は、正常なＰＢＬ、二つのＣＬＬと、ＰＬＬ（前リンパ細胞性白血病）、ＨＣＬ、ＢＣＬ及びＡＭＬ患者からの試料との間の比較である。ＣＬＬ試料ＫＢは正常な個体の範囲内（１０×１０9細胞個／Ｌ）のＷＢＣ密度を持つ初期診断からのものであり、他方ＥＨ２試料はより進行した症状を持つ患者由来のものであって３０×１０9細胞個／ＬまでＷＢＣ数が上昇している。陰は、これらの異なる白血病により発現される主要な抗原における類似及び差異を説明する。
【０１９９】
抗体アレイ及びフローサイトメトリーを用いて、ＰＢＬ及びＣＬＬ解析間の正確な比較を行う（表８）。二つの解析の結果の間には、ＣＤ２、ＣＤ１１ｂ、１４、１５、１６、５６、５７、９５、１０３、１５４、ＫＯＲ及びＦＭＣ７を除いて、強い相関関係がある。相関関係がない場合のほとんどにおいて、フローサイトメトリーは陽性であるが、一方抗体アレイは陰性である。また、フローサイトメトリーにより検出された陽性細胞の百分率は低く、その染色は弱い。フローサイトメトリーは可溶性抗体を使用するが、一方アレイは固体支持体に固定された抗体を使用する。遊離の溶液中の抗体は、立体障害が起こるであろうアレイ上の抗体より細胞上のＣＤ抗原にはるかに近づき易い。また、固相に結合した細胞を維持するためには、より高アフィニティーの結合が要求される。４ＥＣでの溶液中での抗体の保存は、その後の抗体アレイの結合活性を徐々に失わせる。多くの場合、結合活性は新鮮な抗体で回復する。他の場合は、より高濃度の抗体が要求される。ある場合（ＣＤ２）、異なるハイブリドーマ・クローンからの抗体が細胞に結合する。これらの修飾は、固相及びＦＡＣＳ解析の間の相関関係を顕著に改良する。
【０２００】
ＣＤ発現がフローサイトメトリーでは陰性であるが、抗体アレイでは陽性である場合（すなわち、ＲＩＣ・ＰＢＬを用いるＣＤ１０３及びＫＯＲ）、この差異は抗体アレイによる試験の前にＲＩＣ・ＰＢＬにヒトＡＢ血清を含めることにより解決し、その後は両ＣＤ１０３及びＫＯＲは陰性であった（図８ｂを参照）。免疫グロブリンを含むヒトＡＢ血清を含めると、Ｂ細胞ＣＬＬの表面上の免疫グロブリン（Ig）の検出を遮断した。さらに、ヒト血清は、結合細胞によるこれらのマーカー（例えば、ＣＤ１５４、ＣＤ９５）の発現を遮断しうる、可溶形の他の細胞表面マーカーを含みうる。ヒトＡＢ血清を添加せずに、まずＥＤＴＡ/ ＰＢＳで試料を試験することが推奨される。次に、初期試験で強いＦｃ受容体結合を示すそれらの試料のみをヒトＡＢ血清で再試験する。
【０２０１】
いくつかの適用では、抗体ドットへの細胞結合を、内部標準との比較により定量する。図９は、三つの異なる表面マーカーに対する抗体ドットと共にインキュベートしたラジ細胞の結合とラジ細胞の密度との間の関係を示す。ＣＤ３８及びＨＬＡ−ＤＲについては、１０×１０6細胞個／ｍＬまでの細胞濃度で、細胞密度とドットに結合した細胞の数との間に直接的相関関係がある。ＨＬＡ−ＤＲについては、この相互関係は１〜１０×１０6細胞個／ｍＬの間で、直線である。ＣＤ１０については、約５×１０6細胞個／ｍＬでプラトーに達し、抗体結合部位の飽和を示唆する。図１０は、細胞結合とＣＤ１０抗体濃度の間の相関関係が０．１６と１．２５μｇ／ｍＬの間の抗体濃度で直線であったことを示す。これらの結果は、細胞結合の定量は、条件が各抗体について最適化されれば可能であることを証明する。
【０２０２】
当技術分野の者には、記述した発明以外の、本明細書中に記載した発明の変形及び修飾が容易であることを認識できる。本発明はこのような全ての変形及び修飾を含むと理解されるべきである。また本発明は、本明細書中に参照又は示した全工程、特徴、組成物及び化合物を、それぞれ又はひっくるめて、並びに二以上の該工程若しくは特徴のいずれか及び全ての組み合わせをも含む。
【０２０３】
本発明の検定は、「ＬＤアレイ」といい、急性骨髄白血病（ＡＭＬ, Ｍ４）を患った患者、リー・ディクソン夫人に捧げる。
【０２０４】
表の説明
表１：ＣＣＲＦ−ＣＥＭ細胞の結合用抗体アレイの安定性
抗体アレイを室温で乾燥させ、遮断を行い、水で洗浄し、乾燥させ、次いで、気密性のプラスチックバッグ中に粘着ラップで包んだ状態で４℃で保存した。
結果は、−（結合なし）、＋／−（少しの細胞）、＋（弱い陽性）、＋＋（（強い陽性）、＋＋＋（細胞が抗体ドットを完全に覆っている）、＋＋＋＋（抗体ドットの厚い被覆）として記録した。
【０２０５】
表２：ラジ細胞結合用抗体アレイの安定性
表１の通りの実験手順。（b/g の結果は、ニトロセルロースへの細胞のバックグラウンド結合によって不明瞭となった）。
【０２０６】
表３：４℃、２２℃及び３７℃で保存したアレイ上でのＰＢＬの結合パターン
液体チッ素中で保存されたＰＢＬ（ＲＩＣ２）を再構成させ、確立された手法によって、ＥＤＴＡとヒトＡＢ型血清を含むＰＢＳ中でアレイに結合させた。陰を付けたＣＤマーカーは、三つのすべての温度で１か月間保存した後においても強い結合があったことを示す。
【０２０７】
表４：抗体アレイ上の細胞系の結合パターン
ＰＢＳ中に再懸濁させた培養細胞を、表３の通りにアレイに結合させた。陰を付けたＣＤマーカーは強い結合があったことを示す。
【０２０８】
表５：抗体アレイ上のＰＢＬの結合パターン
患者二人（ＲＩＣ及びＬＢ）由来のＰＢＬと、赤十字社血液銀行由来の三つの軟膜（ＰＢＬ１，２，３) を、表３の通りにアレイに結合させた。すべての手順は表３の通りとした。
【０２０９】
表６：９人の患者由来の慢性リンパ性白血病試料の結合パターン
すべての手順は表３の通りとした。しかし、ＥＤＴＡ及びヒトＡＢ型血清を添加したＥＨ２、ＫＢ及びＮＨ以外は、ＰＢＳ中で試験した。陰を付したＣＤマーカーは、すべての患者について強い結合があったことを示す。
【０２１０】
表７：ＰＢＬ、ＣＬＬ、ＰＬＬ、ＨＣＬ、ＢＣＬ及びＡＭＬ試料の結合パターン
すべての手順は表３の通りとした。陰を付したＣＤマーカーは、強い結合があったことを示す。
【０２１１】
表８：新鮮ＰＢＬと凍結ＰＢＬについての及び二つの異なるＣＬＬ試料についての、ＦＡＣＳ分析と抗体アレイの結果との比較
抗体アレイの手順は表３の通りとした。しかし、ヒト血清又はＥＤＴＡを添加しなかった。ＦＡＣＳ分析は、細胞上で10％ヒトＡＢ型血清と共に機械的に実施した。陰を付した領域は、二つの方法間の違いを強調したものである。
【０２１２】
【表１】
0004763135.tif 000017
【０２１３】
【表２】
0004763135.tif 000018
【０２１４】
【表３】
0004763135.tif 000019
【０２１５】
【表４】
0004763135.tif 000020
【０２１６】
【表５】
0004763135.tif 000021
【０２１７】
【表６】
0004763135.tif 000022
【０２１８】
【表７】
0004763135.tif 000023
【０２１９】
【表８】
0004763135.tif 000024
【０２２０】
引用文献
ビーン，エム．−シー．及びマルチーニ，イー．(1997) Immunophenotyping of Blood and Bone Marrow Leukocytes, Harwood Academic Publishers, Australia。
チャング，ティー．−ダブリュー．(1983) J. Immunol. Methods 65, 217-223。
クーパー，ジー．エム． (1993). The Cancer Book, p.158, Jones and Bartlet Publishers 。
【０２２１】
デマトス，オウ．及びベイル，シー．イー． (1996).米国特許第5,538,855 号。
ゴワード，シー．アール．、マーフィー，ジェイ．ピー．、アトキンソン，ティー．、バーストウ，ディー．エイ． (1990) Biochem. J. 267, 171-177。
【０２２２】
キシモト，ティー．ら (1997) Leukocyte typing VI. White cell differentiation antigens. Proceeding of the Sixth International Workshop and Conference held in Kobe, Japan, 10-14 November, 1996; Garland Publishing Inc, NY, USA。
メイジ，エム．ジー．、マッヒュー，エル．エル．及びローズスタイン，ティー．エル． (1977). J. Immunol. Methods 15, 47-56.
【０２２３】
シントン，エヌ．ケイ．(1998) CRC Desk Reference for Hematology CRC Press, Boca Raton。
バンドンゲン，ジェイ．ジェイ．エム．ら Neth. J. Med. (1988). 33: 298-314。
ウィソッキ，エル．ジェイ．及びサトー，ブィ．エル． (1978) Proc. Natl. Acad. Sci. USA 75, 2844-2848。
【図面の簡単な説明】
【図１】  図１はそれから種々のタイプの白血病が発生する前躯体細胞型を持つ血球の分化の系統を示す図式的表示である。完全な抗原発現の測定は白血病の明確な診断を可能とする（図２を参照）。ＣＭＬ、すなわち慢性骨髄性白血病、ＡＭＭＬ、すなわち急性骨髄単球性白血病、ＡＬＬ、すなわち急性リンパ性白血病、ＡＥＬ、すなわち急性赤血球白血病、ＡｍｅｇＬ、すなわち急性巨核球性白血病、ＡＭｏＬ、すなわち急性単球性白血病、ＡＭＬ、すなわち急性骨髄性白血病、ＣＬＬ、すなわち慢性リンパ性白血病、ＮＨＬ、すなわち非ホジキンリンパ腫、ＡＰＬ、すなわち急性前骨髄球性白血病である。クーパー（１９９３）から改作した。
【図２】  図２は、図２（ｉ）、図２（ii）、図２（iii)及び図２（iv）の相互関係を示す図である。
【図２（ｉ）】  図２（ｉ）は、骨髄中の血球の分化の系統を示す図式的表示である。前駆細胞及び成熟血球の上で発現した幾つかの抗原が示される。バン・ドンゲンら（１９８８）から改作した。
【図２（ｉｉ）】  図２（ii）は、骨髄中の血球の分化の系統を示す図式的表示である。前駆細胞及び成熟血球の上で発現した幾つかの抗原が示される。バン・ドンゲンら（１９８８）から改作した。
【図２（ｉｉｉ）】  図２（iii)は、骨髄中の血球の分化の系統を示す図式的表示である。前駆細胞及び成熟血球の上で発現した幾つかの抗原が示される。バン・ドンゲンら（１９８８）から改作した。
【図２（ｉｖ）】  図２（iv）は、骨髄中の血球の分化の系統を示す図式的表示である。前駆細胞及び成熟血球の上で発現した幾つかの抗原が示される。バン・ドンゲンら（１９８８）から改作した。
【図３ａ】  図３ａは、不連続抗体スポットのアレイを含む免疫検定装置の上面図の図式的表示である。
【図３ｂ】  図３ｂは、不連続抗体スポットのアレイを含む免疫検定装置の透視図の図式的表示である。
【図４】  図４は、抗体アレイの作成手順を示す図式的表示である。
【図５ａ】  図５ａは、顕微鏡スライドガラス（モレキュラー・プローブズ）上のニトロセルロース膜に吸収された抗体（クールター−ベックマン）アレイのスポットの一部に結合したヒトＣＣＲＦ−ＣＥＭ白血病細胞のノマルスキー顕微鏡写真を示す。用いた手順は実施例１及び実施例２に記述する。ただし、抗体が０．４ＦＬで適用された点を除く。
【図５ｂ】  図５ｂは、顕微鏡スライドガラス（モレキュラー・プローブズ）上のニトロセルロース膜に吸収された抗体（クールター−ベックマン）アレイのスポットの一部に結合したヒト・ラジリンパ腫細胞のノマルスキー顕微鏡写真を示す。用いた手順は実施例１及び実施例２に記述する。ただし、抗体が０．４ＦＬで適用された点を除く。
【図６】  図６は、ＣＤ４抗体ドットに結合し且つアレクサ−４８８結合ＣＤ４５抗体で標識したＣＣＲＦ−ＣＥＭ細胞の写真である。
【図７ａ】  図７は、細胞系統で試験された抗体アレイを示す。図７ａはアレイ中の抗体ドットの位置のキーを表にしたものである。細胞はＰＢＳに懸濁した。ＭＩｇＧ１、ｍＩｇＧ２ａ、ｂ  ｍＩｇＭはイソ型の対照抗体である。数は関連するＣＤ分子への抗体を意味する（例えば、２は抗ＣＤ２を意味する）。ＧＰＡは抗−グリコホリンＡ、すなわちヒト赤血球上のマーカーであり、ＨＬＡ−ＤＲはII型抗−ＨＬＡ−ＤＲであり、ＫＯＲは顆粒球ＫＯＲ−ＳＡ３５４４抗原に対する抗体であり、ＦＭＣ７は種々のＢ細胞白血病を識別するマーカーに対する抗体である。
【図７ｂ】  図７ｂは、ＣＣＲＦ−ＣＥＭのＴ細胞白血病についての結果を示す。
【図７ｃ】  図７ｃは、ラジＢ細胞リンパ腫についての結果を示す。
【図７ｄ】  図７ｄは、ＮＢ４骨髄細胞についての結果を示す。
【図８ａ】  図８は、末梢血から精製された白血球で試験した抗体アレイの写真であり、図８ａはアレイなかの抗体ドットの位置に対するキーを示す。細胞はＥＤＴＡと０％ｖ／ｖヒトＡＢ血清を含むＰＢＳ中でアレイに結合させた。すべての結果は冷凍細胞試料を用いて得られたものである。
【図８ｂ】  図８ｂは、正常なＰＢＬ・ＲＩＣ２についての写真である。
【図８ｃ】  図８ｃは、ＣＬＬ患者ＫＢ（ＷＢＣカウント１０×１０9 細胞／ｍｌ）についての写真である。
【図８ｄ】  図８ｄは、ＣＬＬ患者ＥＨ２（ＷＢＣカウント３０×１０9 細胞／ｍｌ）についての写真である。
【図８ｅ】  図８ｅは、ＨＣＬ患者ＲＤについての写真である。
【図８ｆ】  図８ｆは、ＡＭＬ患者ＧＴについての写真である。
【図８ｇ】  図８ｇは、Ｂ細胞リンパ腫（ＢＣＬ）患者ＫＲについての写真である。
【図９】  図９は、ラジ細胞密度と抗体細胞ドットに結合したラジ細胞の数の間の関係を示す図式的表示である。
【図１０】  図１０は、抗体濃度と抗体ドットに結合したラジ細胞の数の間の関係を示す図式的表示である。
【図１】
0004763135.tif 000025
【図２】
0004763135.tif 000026
【図２（ｉ）】
0004763135.tif 000027
【図２（ｉｉ）】
0004763135.tif 000028
【図２（ｉｉｉ）】
0004763135.tif 000029
【図２（ｉｖ）】
0004763135.tif 000030
【図３ａ】
0004763135.tif 000031
【図３ｂ】
0004763135.tif 000032
【図４】
0004763135.tif 000033
【図５ａ】
0004763135.tif 000034
【図５ｂ】
0004763135.tif 000035
【図６】
0004763135.tif 000036
【図７ａ】
0004763135.tif 000037
【図７ｂ】
0004763135.tif 000038
【図７ｃ】
0004763135.tif 000039
【図７ｄ】
0004763135.tif 000040
【図８ａ】
0004763135.tif 000041
【図８ｂ】
0004763135.tif 000042
【図８ｃ】
0004763135.tif 000043
【図８ｄ】
0004763135.tif 000044
【図８ｅ】
0004763135.tif 000045
【図８ｆ】
0004763135.tif 000046
【図８ｇ】
0004763135.tif 000047
【図９】
0004763135.tif 000048
【図１０】
0004763135.tif 000049